(57)【要約】入力されるストリームデータをデコードしてコンテンツ映像を生成するデコーダ部と、コンテンツ映像に重畳するための重畳映像を作成する作成部と、重畳映像をコンテンツ映像に重畳して出力映像を生成する合成部と、出力映像を出力する出力部と、作成部および合成部を制御する制御部と、を有し、制御部は、ストリームデータに基づいてコンテンツ映像が２Ｄ映像であるか３Ｄ映像であるかを判断し、合成部は、当該判断に基づいて、コンテンツ映像が２Ｄ映像である場合には、第１の様式で重畳映像をコンテンツ映像に重畳し、コンテンツ映像が３Ｄ映像である場合には、第１の様式と異なる第２の様式で重畳映像をコンテンツ映像に重畳する、映像再生装置。
2012017687.tif 000002
【特許請求の範囲】
【請求項１】
入力されるストリームデータをデコードしてコンテンツ映像を生成するデコーダ部と、
前記コンテンツ映像に重畳するための重畳映像を作成する作成部と、
前記重畳映像を前記コンテンツ映像に重畳して出力映像を生成する合成部と、
前記出力映像を出力する出力部と、
前記作成部および前記合成部を制御する制御部と、を有し、
前記制御部は、前記ストリームデータに基づいて前記コンテンツ映像が２Ｄ映像であるか３Ｄ映像であるかを判断し、
前記合成部は、前記判断に基づいて、前記コンテンツ映像が２Ｄ映像である場合には、第１の様式で前記重畳映像を前記コンテンツ映像に重畳し、前記コンテンツ映像が３Ｄ映像である場合には、前記第１の様式と異なる第２の様式で前記重畳映像を前記コンテンツ映像に重畳する、映像再生装置。
【請求項２】
前記合成部は、前記第２の様式においては、前記コンテンツ映像の左目映像領域および右目映像領域の互いに対応する位置それぞれに、前記重畳映像を重畳する、請求項１に記載の映像再生装置。
【請求項３】
さらに、ユーザの指示を受け付ける受付部を有し、
前記制御部は、前記受付部を介して所定の指示を前記ユーザから受け付けた場合には、前記コンテンツ映像が２Ｄ映像であるか３Ｄ映像であるかに関わらず、前記合成部に前記第２の様式で前記重畳映像を前記コンテンツ映像に重畳させる、請求項２に記載の映像再生装置。
【請求項４】
前記制御部は、前記所定の指示の有効期間の終期を前記所定の指示を受けた時に再生中のコンテンツの再生完了時に設定する、請求項３に記載の映像再生装置。
【請求項５】
前記制御部は、前記終期を経過した後は、前記合成部に前記コンテンツ映像が２Ｄ映像であるか３Ｄ映像であるかに関わらずに前記第２の様式で前記重畳映像を前記コンテンツ映像に重畳させる指示を行わない、請求項４に記載の映像再生装置。
【請求項６】
前記制御部は、前記ストリームデータに含まれるフラグ情報に基づいて、前記コンテンツ映像が２Ｄ映像であるか３Ｄ映像であるかを判断する、請求項１に記載の映像再生装置。
【請求項７】
前記制御部は、さらに、前記出力部に接続された外部装置がＨＤＭＩＶｅｒ．１．４ａ以上の３Ｄ映像表示に対応するか否かを判断し、
前記出力部は、前記判断に基づいて、前記外部装置がＨＤＭＩＶｅｒ．１．４ａ以上の３Ｄ映像表示に対応する装置である場合には、前記出力映像のタイプを示す情報を、ＶＳＩに挿入する、請求項１に記載の映像再生装置。
【請求項８】
映像再生装置における映像再生方法であって、
デコーダ部が、入力されるストリームデータをデコードしてコンテンツ映像を生成するステップと、
前記コンテンツ映像に重畳するための重畳映像を作成するステップと、
前記重畳映像を前記コンテンツ映像に重畳して出力映像を生成するステップと、
前記出力映像を出力するステップと、
制御部が、前記ストリームデータに基づいて前記コンテンツ映像が２Ｄ映像であるか３Ｄ映像であるかを判断するステップと、を有し、
前記生成するステップは、前記判断するステップにおける判断に基づいて、前記コンテンツ映像が２Ｄ映像である場合には、第１の様式で前記重畳映像を前記コンテンツ映像に重畳し、前記コンテンツ映像が３Ｄ映像である場合には、前記第１の様式と異なる第２の様式で前記重畳映像を前記コンテンツ映像に重畳する、映像再生方法。
【請求項９】
コンテンツのストリームデータを保持する記憶部と、
ネットワークを介して接続された映像表示装置に重畳映像を生成させるためのメタデータを生成する生成部と、
前記ストリームデータおよび前記メタデータを前記ネットワーク経由で前記映像表示装置へ出力する出力部と、
前記生成部を制御する制御部と、を有し、
前記制御部は、前記出力部が出力するストリームデータに基づいて前記コンテンツが２Ｄコンテンツであるか３Ｄコンテンツであるかを判断し、
前記生成部は、前記判断に基づいて、前記コンテンツが２Ｄコンテンツである場合には、第１の様式で前記メタデータを生成し、前記コンテンツが３Ｄコンテンツである場合には、前記第１の様式と異なる第２の様式で前記メタデータを生成する、映像再生装置。
【発明の詳細な説明】
【技術分野】
【０００１】
技術分野は、映像再生装置に関し、特に、立体視可能な映像（立体映像）を再生可能な映像再生装置に関する。
【背景技術】
【０００２】
近年、立体映像（３Ｄ映像）を表示可能な表示装置（３Ｄテレビ等）に関連した技術開発が急速に進展している。その背景としては、映画館での３Ｄ映画のヒットや、一部の放送局がＢＳ（Broadcasting Satellite）デジタル放送やＣＳ（Communications Satellite）デジタル放送において３Ｄ放送を開始したことが挙げられる。表示装置である３Ｄテレビや、表示装置に３Ｄ映像を送出する映像再生装置については、各メーカからすでに商品化されているものもあり、一般家庭における３Ｄ映像の視聴環境は整いつつある。【０００３】
３Ｄ映像を観察する方法には、大別して２種類の方法がある。【０００４】
１つは、観察者が裸眼で、表示装置が映し出す３Ｄ映像を観察する方法である。この方法の例としては、例えば、特許文献１や特許文献２に開示されているような、パララックスバリア方式やレンティキュラ方式が挙げられる。【０００５】
もう１つは、観察者が専用メガネをかけて、表示装置が映し出す３Ｄ映像を観察する方法である。この方法の例としては、例えば、特許文献３に開示されるように、テレビに特殊なフィルムを貼り付けるとともに観察者が偏向メガネをかけて３Ｄ映像を観察する方法や、特許文献４や特許文献５に開示されるように、観察者が液晶シャッターメガネをかけて３Ｄ映像を観察する方法が挙げられる。【０００６】
いずれの方法においても、３Ｄ映像は、観察者の左目に提示される映像（左目映像）と右目に提示される映像（右目映像）を含んで構成され、ソース機器からシンク機器（表示装置）へ入力される。【０００７】
次に、映像再生装置等のソース機器が３Ｄ映像を表示装置へ入力する方法について概説する。表示装置へ３Ｄ映像を入力する方法には、大別して２種類の方法がある。【０００８】
１つは、３Ｄ映像の左目映像と右目映像とを含んだ１フレーム映像を表示装置へ入力する方法である。【０００９】
もう１つは、左目映像のフレームと右目映像のフレームとを、時間的に交互に表示装置へ入力する方法である。【００１０】
前者の方法の代表例としては、トップ・アンド・ボトム方式がある。このトップ・アンド・ボトム方式では、例えば、３Ｄ映像が１９２０×１０８０の画素数を有するような場合、左目映像および右目映像それぞれの垂直方向の画素数を半分に減らして１９２０×５４０画素の左目映像および右目映像を生成し、一方の下端と他方の上端においてそれらを結合して１９２０×１０８０の１フレームの映像を構成し、そのようにして構成された１フレームの映像を表示装置へ入力する。他にもサイド・バイ・サイド方式と呼ばれる方式があり、この場合、例えば、左目映像および右目映像それぞれの水平方向の画素数を半分に減らして９６０×１０８０画素の左目映像および右目映像を生成し、一方の右端と他方の左端においてそれらを結合して１９２０×１０８０の１フレームの映像を構成し、そのようにして構成された１フレームの映像を表示装置へ入力する。【００１１】
先に紹介したＢＳ／ＣＳデジタル放送での３Ｄ放送などは、サイド・バイ・サイド方式で実施される。また、光ディスク（ＤＶＤ、Ｂｌｕ−ｒａｙディスク等）やメモリーカードといった記録メディアに記録され流通されるコンテンツや、インターネット等のネットワークを介して配信されるコンテンツにも、サイド・バイ・サイド方式で３Ｄ映像が記録された３Ｄコンテンツが存在する。【００１２】
トップ・アンド・ボトム方式やサイド・バイ・サイド方式といった方式に従って３Ｄ映像信号が表示装置へ入力されると、表示装置は、ユーザの指示により、または、３Ｄ映像信号と併せて入力される信号により、映像の１フレームを上下または左右に分割し、適切なスケーリングを行って左目映像および右目映像を生成し、３Ｄ映像表示を行う。【００１３】
観察者は、表示装置に映し出される左目映像および右目映像を、左目または右目で観察することにより、左目映像および右目映像に含まれる視差に応じた奥行き感を感じ取ることができる。
【先行技術文献】
【特許文献】
【００１４】
【特許文献１】特開平９−４３５４０号公報
【特許文献２】特開平９−３１８９１１号公報
【特許文献３】特許第３７９６４１４号公報
【特許文献４】特開平６−２５４０４６号公報
【特許文献５】特開平７−３３６７２９号公報
【特許文献６】特開２００６−３５２８７６号公報
【特許文献７】国際公開２０１０／０３２３９９号パンフレット
【特許文献８】特開平１０−０９３８８０号公報
【特許文献９】特開２０１０−２６８０４８号公報
【特許文献１０】特開２０１０−２８８２３４号公報
【発明の概要】
【発明が解決しようとする課題】
【００１５】
映像再生装置は、チューナ、光ディスクドライブ、ハードディスクドライブ、メモリーカードといった映像ソースから提供されるデータに基づいて映像（コンテンツ映像）を生成して表示装置へ送出するのみならず、当該コンテンツ映像に別の映像（重畳映像）を重畳することにより映像に付加的な情報を付与して表示装置へ送出することもできる。例えば、重畳映像とは、放送波、光ディスクといった記録媒体等から供されるデータに基づく字幕やグラフィクス、映像再生装置等の各種装置の操作画面や装置の状態を示すオン・スクリーン・ディスプレイ（On-Screen Display, OSD）に関する映像である。【００１６】
図８Ａは、映像再生装置が、サイド・バイ・サイド方式の（左目映像の領域Ｌ’および右目映像の領域Ｒ’を含んだ）３Ｄ映像であるコンテンツ映像に重畳映像（ＯＳＤ１００およびＯＳＤ２００）を重畳する場合に、表示装置へ出力される映像を示す例図である。従来の映像再生装置は、重畳映像を重畳する映像（コンテンツ映像）がサイド・バイ・サイド方式（以下、「ＳＢＳ方式」とも表記する。）の３Ｄ映像であっても、通常の映像（非３Ｄ映像）に重畳映像を重畳するのと同様にして、重畳映像の重畳を行う。【００１７】
そのため、重畳映像が重畳されたＳＢＳ方式の３Ｄ映像を表示装置において３Ｄ表示した場合、図８Ｂに示すように、ＯＳＤ１００およびＯＳＤ２００の形状や表示位置が、通常映像の２Ｄ表示の場合とは異なって表示される。図８Ｂの例では、ＯＳＤ１００は、自身の別の部分やＯＳＤ２００と重複して表示されてしまい、視認性が著しく損なわれている。ＯＳＤ２００についても同様である。【００１８】
このように、従来の映像再生装置においては、コンテンツ映像（重畳映像が重畳される映像）がＳＢＳ方式（または、トップ・アンド・ボトム方式）といった３Ｄ映像であるときに、重畳映像の視認性が低下することがあった。【００１９】
上記を鑑み、本実施の形態は、重畳映像の視認性の低下を抑制することができる映像再生装置を提供する。
【課題を解決するための手段】
【００２０】
その一態様は、入力されるストリームデータをデコードしてコンテンツ映像を生成するデコーダ部と、コンテンツ映像に重畳するための重畳映像を作成する作成部と、重畳映像をコンテンツ映像に重畳して出力映像を生成する合成部と、出力映像を出力する出力部と、作成部および合成部を制御する制御部と、を有し、制御部は、ストリームデータに基づいてコンテンツ映像が２Ｄ映像であるか３Ｄ映像であるかを判断し、合成部は、当該判断に基づいて、コンテンツ映像が２Ｄ映像である場合には、第１の様式で重畳映像をコンテンツ映像に重畳し、コンテンツ映像が３Ｄ映像である場合には、第１の様式と異なる第２の様式で重畳映像をコンテンツ映像に重畳する、映像再生装置である。
【発明の効果】
【００２１】
本実施の形態による映像再生装置は、コンテンツ映像が２Ｄ映像である場合には、第１の様式で重畳映像をコンテンツ映像に重畳し、コンテンツ映像が３Ｄ映像である場合には、第１の様式と異なる第２の様式で重畳映像をコンテンツ映像に重畳する。そうすることで、表示装置において３Ｄ表示された場合における重畳映像の視認性の低下を抑制する。
【図面の簡単な説明】
【００２２】
【図１】実施の形態による映像再生装置を含んで構成される映像再生表示システムの構成図
【図２】実施の形態による映像再生装置の構成を示すブロック図
【図３】実施の形態による映像再生装置がする処理のフローチャート
【図４】ＯＳＤ映像の重畳様式、ＶＳＩフラグの重畳／非重畳を、諸条件で場合分けして示す図
【図５】実施の形態による映像再生装置がする処理のフローチャート
【図６】実施の形態による映像再生装置を含んで構成される映像再生表示システムの構成図
【図７】実施の形態による映像再生装置がする処理のフローチャート
【図８Ａ】サイド・バイ・サイド方式の３Ｄ映像にＯＳＤを重畳して生成される映像の例図
【図８Ｂ】図８Ａに示す映像を表示装置において３Ｄ表示した場合に表示される映像例を示す図
【発明を実施するための形態】
【００２３】
以下、実施の形態について、詳細に説明する。
【００２４】
本実施の形態による映像再生装置は、映像に対し別映像を重畳して出力映像を生成する際、出力映像が表示装置により３Ｄ表示されたときに当該別映像も正しく表示されるように、出力映像を生成する。
【００２５】
映像は、放送波、光ディスクといった記録媒体等（映像ソース）に含まれるデータに基づいて生成される映像であり、通常の映像（非３Ｄ映像）ならびにサイド・バイ・サイド方式およびトップ・アンド・ボトム方式等の３Ｄ映像を含む。以下では、別映像が重畳される映像を、「コンテンツ映像」（content image, content picture）と称する。また、以下では、３Ｄ映像であるコンテンツ映像（「３Ｄコンテンツ映像」）の例として、サイド・バイ・サイド方式（ＳＢＳ方式）で構成された３Ｄ映像を挙げるが、３Ｄコンテンツ映像は、ＳＢＳ方式で構成される３Ｄ映像に限定されず、トップ・アンド・ボトム方式等、別の方式で構成される３Ｄ映像を含む。
【００２６】
別映像は、放送波、光ディスクといった記録媒体等（映像ソース）に含まれるデータに基づいて構成される字幕やグラフィクス、映像再生装置等の各種装置の操作画面や装置の状態を示すオン・スクリーン・ディスプレイ（On-Screen Display, OSD）に関する映像を含む。以下では、コンテンツ映像に重畳される映像を、「重畳映像」と称する。また、字幕やグラフィクスは、映像ソース中に映像データとして含まれる情報にもとづいて生成されてもよいし、映像再生装置が、映像ソース中に含まれる文字情報や図形描画情報にもとづいて、内蔵するフォント・データや、描画機能によって生成してもよい。ＯＳＤは、映像再生装置が内蔵するアイコン映像のデータ、フォント・データ、描画機能によって生成されればよい。
【００２７】
（実施の形態１）
図１は、実施の形態１による映像再生装置１を含んで構成される３Ｄ映像再生表示システムの構成図である。当該システムは、専用メガネを使用して３Ｄ映像表示を行うタイプの３Ｄ映像再生表示システムである。ただし、本実施の形態による映像再生装置１は、当該方式と異なる方式で３Ｄ映像表示を行うタイプの３Ｄ映像再生表示システムにも適用可能である。
【００２８】
再生装置１は、２Ｄ放送（非３Ｄ放送）や３Ｄ放送（ＳＢＳ方式等）（以下、「放送」と総称することがある。）を受信し、伝送路４を介して２Ｄ映像や３Ｄ映像を映像再生装置２へ出力することができる。伝送路４は、例えば、ＨＤＭＩ規格に準拠した伝送路である。また、再生装置１は、放送を録画して再生する機能を有してもよい。
【００２９】
なお、再生装置１は、３Ｄ放送を受信あるいは再生して、３Ｄ映像を表示装置２へ出力する場合、表示装置２に対し、出力映像が３Ｄ映像である旨を通知する機能を有する。また、表示装置２は、再生装置１からの上記通知を受信することができ、上記通知に基づいて映像表示モードを２Ｄ表示モードと３Ｄ表示モードの間で自動的に切り替える機能を有する。なお、再生装置１が表示装置２に対し出力映像が２Ｄ映像であるか３Ｄ映像であるかを通知するための方法の詳細については、後で説明する。
【００３０】
メガネ３は、３Ｄ映像を観察するためのメガネであり、観察者はこれを装着して表示装置２に映し出される３Ｄ映像を観察することにより、映像の奥行き感を知覚することが可能になる。メガネ３は、例えば液晶シャッター方式の３Ｄメガネである。この場合、表示装置２は、左目映像および右目映像の表示のタイミングに同期するように、メガネ３のシャッターを開閉制御する。当該制御には、無線伝送路５が用いられる。これにより、観察者の左目には、左目映像のみが提示され、逆に右目には右目映像のみが提示される。なお、表示装置２、および、メガネ３による３Ｄ映像提示方式には、先に紹介したさまざまな方式を採用することが可能である。
【００３１】
図２は、本実施の形態による再生装置１の構成を示すブロック図である。再生装置１は、放送波を受信するアンテナ１３から電気信号を入力するチューナ１２、光ディスク１５（書き込み可能ＤＶＤ、書き込み可能Ｂｌｕ−ｒａｙディスク等）に放送を記録する光ディスクドライブ１４等を含んだ映像ソース部１１と、映像ソース部１１から出力されるストリーム信号を入力しストリーム信号を復号してコンテンツ映像の信号出力するデコーダ部１６と、コンテンツ映像にオン・スクリーン・ディスプレイ（ＯＳＤ）の映像（重畳映像）を重畳して出力映像を生成し、その信号をＨＤＭＩ出力部１８へ出力するＯＳＤ合成部（重畳映像合成部）１７と、出力映像の信号を表示装置２等へ出力するＨＤＭＩ出力部１８と、コンテンツ映像に重畳するＯＳＤ映像（重畳映像）を作成するＯＳＤ作成部（重畳映像作成部）２０と、図示しないリモコンからの信号を受信するリモコン信号受信部２１と、再生装置１を制御する中央処理装置（ＣＰＵ）１９と、を有する。
【００３２】
なお、光ディスクドライブ１４は、読み出し専用のＤＶＤやＢｌｕ−ｒａｙディスクに記録された２Ｄ／３Ｄコンテンツを読み出すことも可能である。
【００３３】
なお、映像ソース部１１は、チューナ１２、光ディスクドライブ１４のほか、ハードディスクドライブ、半導体メモリ、不揮発性メモリ等を含んでよい。
【００３４】
なお、デコーダ部１６は、ストリーム信号から字幕やグラフィクスの情報を取得して出力することも可能である。
【００３５】
なお、ＯＳＤ合成部１７は、字幕やグラフィクスの映像をコンテンツ映像に重畳することも可能である。この場合、ＯＳＤ作成部２０は、字幕やグラフィクスの映像を作成することができる。
【００３６】
チューナ１２は、放送波を入力し、放送波に基づいてトランスポートストリーム信号を生成してデコーダ部１６へ出力する。
【００３７】
ここで、放送波には、映像再生装置１が放送内容（２Ｄ放送、ＳＢＳ方式の３Ｄ放送、トップ・アンド・ボトム方式の３Ｄ放送）を識別可能とするフラグ情報（以下「放送フラグ情報」と称す）が、放送信号に重畳されているものとする。具体的には、放送フラグ情報は、例えば、トランスポートストリームのＰＭＴ（ｐｒｏｇｒａｍ  ｍａｐ  ｔａｂｌｅ）や映像信号に重畳されてよい。後者の場合、放送フラグ情報は、映像がＭＰＥＧ２方式で圧縮されている場合には、ｐｉｃｔｕｒｅ  ｈｅａｄｅｒの  ｐｉｃｔｕｒｅ  ｈｅａｄｅｒ  ｅｘｔｅｎｓｉｏｎ  領域にあるｕｓｅｒ  ｄａｔａ領域等に格納すればよく、また、映像がＨ．２６４方式で圧縮されている場合には、ＳＥＩ（Ｆｒａｍｅ  ｐａｃｋｉｎｇ  ａｒｒａｎｇｅｍｅｎｔ  ＳＥＩ）に格納すればよい。
【００３８】
デコーダ部１６では、映像ソース部１１からの入力に基づいて、コンテンツ映像の信号、音声信号等を出力する（以下、「デコード」と称す）。
【００３９】
一方、予め光ディスク１５に録画しておいた放送を再生する場合には、デコーダ１６は、光ディスク１５から読み取られた信号をデコードする。なお、放送を録画する場合には、デコーダ部１６は、チューナ１２から入力されたトランスポートストリーム信号をパーシャル化し、光ディスクドライブ１４へ出力する。あるいは、デコーダ部１６は、チューナ１２からのトランスポートストリーム信号を一旦デコードし、（図示しない）エンコーダが再度圧縮してから光ディスクドライブ１４へ出力してもよい。なお、その際、放送が２Ｄ放送か、ＳＢＳ方式の３Ｄ放送か、トップ・アンド・ボトム方式の３Ｄ放送かを識別可能とする放送フラグ情報については、先ず、デコーダ部１６が放送波から放送フラグ情報を検出し、その検出結果に応じて、（図示しない）エンコーダが、再圧縮の再に、放送フラグ情報を圧縮データ中に挿入する。そのとき、圧縮データ中に挿入させる放送フラグ情報は、例えばＭＰＥＧ２方式で圧縮する場合には、例えば、ｐｉｃｔｕｒｅ  ｈｅａｄｅｒのｅｘｔｅｎｓｉｏｎのｕｓｅｒ  ｄａｔａに格納すればよい。また、Ｈ．２６４方式で圧縮する場合には、放送フラグ情報は、Ｆｒａｍｅ  ｐａｃｋｉｎｇ  ａｒｒａｎｇｅｍｅｎｔ  ＳＥＩに格納すればよい。
【００４０】
なお、録画の際、デコーダ部１６においてチューナ部１２から入力された信号中から放送フラグ情報が検出され、かつ、その検出結果が２Ｄ放送であった場合には、（図示しない）エンコーダによる再圧縮のときに、２Ｄ放送であることを示す放送フラグ情報を圧縮データへ挿入してもよいし、放送フラグ情報を挿入しなくてもよい。２Ｄ放送であることを示す放送フラグ情報については再圧縮時に圧縮データへ挿入しないことにより、既存の再生装置との互換性を完全に確保することができる。例えば、３Ｄ放送の録画に対応していない既存のＭＰＥＧ２方式の再生装置において、当該再生装置のデコーダが、定義されていない放送フラグ情報のｕｓｅｒ  ｄａｔａを誤って解釈して再生動作に影響を与えてしまうといった問題を回避することができる。
【００４１】
このように、デコーダ部１６は、デコード処理以外にも、入力したトランスポートストリームを解析して放送フラグ情報にもとづいて放送（コンテンツ）が２Ｄ放送か（２Ｄコンテンツか）、または、３Ｄ放送か（３Ｄコンテンツか）を判別することができる。さらに、デコーダ部１６は、放送（コンテンツ）が３Ｄ放送（３Ｄコンテンツ）の場合、ＳＢＳ方式かトップ・アンド・ボトム方式かを検出することもできる。デコーダ部１６は、放送フラグ情報に基づく検出結果を、ＣＰＵ１９へ通知する。ＣＰＵ１９は、当該通知に基づいて、ＯＳＤ作成部２０やＯＳＤ合成部１７に対し、コンテンツ映像のタイプが、２Ｄ映像か、ＳＢＳ方式の３Ｄ映像か、トップ・アンド・ボトム方式の３Ｄ映像か、等を通知する。
【００４２】
ＯＳＤ作成部２０は、ＣＰＵ１９からの通知（指示）に基づいて、装置の操作画面の映像（すなわちＯＳＤの映像）のデータを作成する。
【００４３】
ＯＳＤ合成部１７は、デコーダ部１６がデコードして出力した映像（コンテンツ映像）に、ＯＳＤ作成部２０が作成したＯＳＤの映像（重畳映像）を重畳することにより出力映像を生成し、生成した出力映像をＨＤＭＩ出力部１８へ出力する。ＯＳＤ合成部１７は、ＣＰＵ１９の指示に基づいて、ＯＳＤの映像をコンテンツ映像に、通常様式、ＳＢＳ様式、または、トップ・アンド・ボトム様式で、合成する。ここで、通常様式とは、コンテンツ映像が２Ｄ映像である場合に適した（ＯＳＤが正しく表示される）合成様式であり、ＳＢＳ様式とは、コンテンツ映像がＳＢＳ方式３Ｄ映像であって、表示装置２が当該映像を３Ｄ表示した場合にＯＳＤが正しく（所期の形状、大きさで、所期の位置に）表示される合成様式であり、トップ・アンド・ボトム様式とは、コンテンツ映像がトップ・アンド・ボトム方式３Ｄ映像であって、表示装置２が当該映像を３Ｄ表示した場合にＯＳＤが正しく（所期の形状、大きさで、所期の位置に）表示される合成様式である。なお、ＯＳＤ合成部１７は、音声信号については一切の処理を行わずにそのまま出力してよい。
【００４４】
具体的には、ＯＳＤ合成部１７は、ＳＢＳ様式においては、各ＯＳＤ映像を、コンテンツ映像の左目映像の領域と、右目映像の領域とに、それぞれ、合成する。このとき、各ＯＳＤ映像は、左目映像の領域および右目映像の領域の各領域に収まる大きさで、合成される。また、各ＯＳＤ映像が合成される位置は、左目映像の領域および右目映像の領域の互いに対応する位置である。この場合、表示装置２の３Ｄ表示におけるＯＳＤの奥行き感は、表示面と一致する。また、表示装置２において３Ｄ表示された場合にＯＳＤが所定の奥行き感（飛び出し感）をもって知覚されるように、合成位置を、領域間で完全に対応する位置からずらしてもよい。さらに、各ＯＳＤ映像の形状を、通常様式に較べて縦長に（例えば、水平方向の長さを通常様式のそれの１／２にして）変化させてもよい。当該形状の変更は、ＯＳＤ作成部２０により行われてもよい。また、重畳映像が、コンテンツの字幕等の場合、通常様式で用いる字幕フォントに較べて縦長のフォント（例えば、水平方向の長さを通常様式のそれの１／２のフォント）を用いてもよい。また、フォントの選択は、ＯＳＤ作成部２０により行われてもよい。重畳映像が、コンテンツのグラフィクスである場合も同様にグラフィクスの形状を変化させてもよい。
【００４５】
ＨＤＭＩ出力部１８は、ＯＳＤ合成部１７より入力された出力映像の信号と音声信号を表示装置２へ出力する。ＨＤＭＩ出力部１８は、デコーダ部１６が検出した放送フラグ情報にもとづいて、コンテンツ映像が、２Ｄ映像か、ＳＢＳ方式の３Ｄ映像か、トップ・アンド・ボトム方式の３Ｄ映像か、を通知するためのフラグ情報を、出力信号（ＨＤＭＩ信号）に重畳して出力することができる。具体的には、ＨＤＭＩ出力部１８は、ＨＤＭＩ信号に含まれるＶＳＩ（Ｖｅｎｄｅｒ  Ｓｐｅｃｉｆｉｃ  ＩｎｆｏＦｒａｍｅ）に、コンテンツ映像が上記のいずれのタイプの映像であるかの情報を、フラグ形式で記録する。（以降、このフラグを「ＶＳＩフラグ」と称する。）これにより、表示装置２は、ＶＳＩフラグを検出することにより、ＶＳＩフラグの内容に応じて表示方式を２Ｄ表示とするか、ＳＢＳ方式にもとづく３Ｄ表示とするか、トップ・アンド・ボトム方式にもとづく３Ｄ表示とするか、を自動的に切り替える。なお、映像再生装置１のＣＰＵ１９は、表示装置２が３Ｄ表示対応か否か、あるいはＶＳＩに対応しているか否か、について、表示装置２のＨＤＭＩ能力のステータスを読み取ることで判別することが可能である。具体的には、ＣＰＵ１９は、ＨＤＭＩ出力部１８を介して入力される再生装置２のＨＤＭＩのバージョンおよび３Ｄ対応情報を読み取ることにより、表示装置２が３Ｄ表示対応か否か、あるいはＶＳＩに対応しているか否か、について、判別する。
【００４６】
リモコン信号受信部２１は、（図示しない）リモコンからの信号を受信し、ＣＰＵ１９８へ通知する。
【００４７】
ＣＰＵ１９は、以上説明した各構成要素を含んだ装置全体を制御する。また、ＣＰＵ１９は、リモコン信号受信部２１にて受信したリモコン信号に基づいて、ユーザ（観察者）の再生装置１に対する操作内容を取得して、動作することができる。
【００４８】
以上のように構成した本実施の形態において、実際のユースケースに対応して、放送フラグ情報の検出から、ＯＳＤの重畳や、ＶＳＩフラグの重畳を行ってＨＤＭＩ信号を出力するまでの処理を、図３、図４を参照して具体的に説明する。
【００４９】
なお、以下では、ＳＢＳ方式の３Ｄ放送（ＳＢＳ方式の３Ｄ映像）について説明しているが、トップ・アンド・ボトム方式でも同様に実施可能である。また、以下の説明では、再生装置１のＣＰＵ１９は、表示装置２が、ＶＳＩ対応の３Ｄ表示装置である場合（Ｒ１）と、ＶＳＩ非対応の表示装置である場合（Ｒ２）とで、コンテンツ映像にＯＳＤを重畳する際の重畳様式と、ＨＤＭＩ信号へのＶＳＩフラグの重畳／非重畳を可変的に制御する。ここで、ＶＳＩ対応の３Ｄ表示装置とは、例えば、ＨＤＭＩのバージョン１．４ａの３Ｄに対応した表示装置である。ＶＳＩ非対応の表示装置とは、例えば、ＨＤＭＩのバージョン１．４a未満（１．４以下）の３Ｄ表示装置、ＨＤＭＩのバージョン１．４以上であるが３Ｄ非対応の表示装置、ＨＤＭＩのバージョン１．３以下にのみ対応した表示装置である。ここで、ＨＤＭＩ１．４ａ以上とは、ＨＤＭＩ１．４ａやバージョンの数値が１．４より大きいものを示す。
【００５０】
また、再生装置１のＣＰＵ１９は、放送受信または再生ストリーム中に放送フラグ情報が含まれている場合と、含まれていない場合（２Ｄを明示する放送フラグ情報が含まれている場合を含む）と、ＯＳＤの重畳様式を変更するようにＯＳＤ作成部２０およびＯＳＤ合成部１７を制御する。また、本実施の形態による再生装置１においては、コンテンツ映像が２Ｄ映像であるかＳＢＳ方式の３Ｄ映像であるかを検知して自動的にＯＳＤの重畳様式を切り替えることができ、または、ユーザが強制的にＯＳＤの重畳様式を再生装置１に対して設定する（設定を入り（常時ＳＢＳ様式）にする場合と切り（常時通常様式）にする場合を含む。）ことも可能である。
【００５１】
以下、図３を参照し、処理の流れについて説明する。
【００５２】
再生装置１のＣＰＵ１９は、ＯＳＤ設定の設定値が、「オート」か、「入」か、「切」か、であるかを判定する（Ｓ１）。ＯＳＤ設定値が「オート」であれば、処理はステップＳ２へ進み、ＯＳＤ設定値が「入」であれば、処理はステップＳ３へ進み、ＯＳＤ設定値が「切」であれば、処理はステップＳ４へ進む。
【００５３】
ＯＳＤ設定値が「オート」の場合、ＣＰＵ１９は、デコーダ部１６と協働して、ストリーム信号（の例えばＳＥＩ）に３Ｄを示す放送フラグ情報があるかどうか、を判断する（Ｓ２）。３Ｄを示す放送フラグ情報が検出されると、処理はステップＳ３へ進む。３Ｄを示す放送フラグ情報が検出されなければ、処理はステップＳ４へ進む。
【００５４】
ＣＰＵ１９は、ＯＳＤ設定値が「入」の場合、および、ＯＳＤ設定値が「オート」であって３Ｄを示す放送フラグ情報が検出された場合、ＯＳＤ作成部２０に対し、ＳＢＳ様式でＯＳＤ映像を作成することを指示し、ＯＳＤ合成部１７に対し、ＳＢＳ様式でＯＳＤ映像をコンテンツ映像に重畳することを指示する（Ｓ３）。
【００５５】
さらに、ＣＰＵ１９は、ＨＤＭＩ出力部１８に接続されている表示装置２が、ＨＤＭＩＶｅｒ．１．４ａの３Ｄに対応した３Ｄ表示装置であるかどうか、を判定する（Ｓ５）。表示装置２が、ＨＤＭＩＶｅｒ．１．４ａの３Ｄに対応した３Ｄ表示装置である場合、ＣＰＵ１９は、ＨＤＭＩ出力部１８に指示して、出力映像がＳＢＳ方式の３Ｄ映像であることを示すＶＳＩフラグをＨＤＭＩ信号に挿入させる（Ｓ６）。
【００５６】
処理がステップＳ４へ進んだ場合、つまり、ＯＳＤ設定値が「切」の場合、および、ＯＳＤ設定値が「オート」であって３Ｄを示す放送フラグ情報が検出されなかった場合、ＣＰＵ１９は、ＯＳＤ作成部２０に対し、通常様式でＯＳＤ映像を作成することを指示し、ＯＳＤ合成部１７に対し、通常様式でＯＳＤ映像をコンテンツ映像に重畳することを指示する（Ｓ４）。
【００５７】
図４は、ＣＰＵ１９によるＯＳＤに関する制御内容を、諸条件で場合分けしてまとめた表である。ここでの諸条件は、
１．表示装置２が、ＶＳＩ対応の３Ｄ表示装置であるか（Ｒ１）否（Ｒ２）かに関する条件（Ｃ１）と、
２．放送受信または再生ストリーム中に放送フラグ情報が含まれているか否か（２Ｄを明示する放送フラグ情報が含まれている場合を含む）に関する条件（Ｃ２）と、
３．設定されたＯＳＤ表示設定が、コンテンツ映像が２Ｄ映像であるかＳＢＳ方式の３Ｄ映像であるかを検知して自動的にＯＳＤの重畳様式を切り替える設定（「オート」、Ｃ３）か、常時ＳＢＳ様式（Ｃ４）か、常時通常様式（Ｃ５）かに関する条件（Ｒ０）と、
を含む。
【００５８】
再生装置１に設定可能なＯＳＤ表示設定の値（Ｒ０）には、「オート」（Ｃ３）、「入」（Ｃ４）、「切」（Ｃ５）がある。「オート」（Ｃ３）が設定された場合には、再生装置１は、放送フラグ情報の内容に従ってＯＳＤの重畳様式を自動的に切り換える。このとき、ＨＤＭＩ信号にＶＳＩフラグを挿入するか否かについては、表示装置２が対応するＨＤＭＩのバージョン等（Ｃ１）に応じて自動的に切り換える。
【００５９】
「入」が設定された場合（Ｃ４）には、再生装置１は、放送フラグ情報の有無（Ｃ２）やその内容に関わらず、常時、ＳＢＳ様式でＯＳＤ映像をコンテンツ映像に重畳して出力映像を生成する。このときも、ＨＤＭＩ信号にＶＳＩフラグを挿入するか否かについては、表示装置２が対応するＨＤＭＩのバージョン等（Ｃ１）に応じて自動的に切り換える。
【００６０】
「切」が設定された場合（Ｃ５）には、再生装置１は、常時、従来の２Ｄ放送時と同等の処理を実施する（通常様式でＯＳＤ映像をコンテンツ映像に重畳して出力映像を生成する）。
【００６１】
設定値が「オート」の場合（Ｃ３）において、放送フラグ情報が３Ｄであると検出した場合（Ｃ２）には、表示装置２がＶＳＩに対応しているならば（ＨＤＭＩのバージョン１．４ａの３Ｄ表示装置ならば）（Ｒ１）、再生装置１は、ＨＤＭＩ信号にＶＳＩフラグを重畳する。放送フラグ情報が無いかまたは３Ｄで無いと判断された場合（Ｃ２）には、再生装置１は、ＶＳＩフラグをＨＤＭＩ信号に重畳しない。
【００６２】
ＶＳＩフラグの重畳により、表示装置２の表示モードを、放送の内容が２Ｄ放送か３Ｄ放送かに応じて自動的に２Ｄ表示または３Ｄ表示に、再生装置１側で切り替えることが可能になる。また、ＶＳＩを重畳する場合は、再生装置１は、ＯＳＤをＳＢＳ様式で重畳する。これにより表示装置２が３Ｄ表示を行っても、ＯＳＤの視認性が損なわれることはない。逆にＶＳＩを重畳しない場合は、再生装置１は、ＯＳＤを通常様式で重畳する。このとき、表示装置２は、２Ｄ表示を行う。そのため、ＯＳＤの視認性が損なわれることはない。
【００６３】
次に、「オート」が設定され（Ｃ３）ており、表示装置２がＶＳＩに対応していない場合（表示装置２が、ＨＤＭＩのバージョン１．４以下のみに対応するか、または１．４ａ以上に対応するが３Ｄ非対応の場合）（Ｒ２）、再生装置１は、表示装置２がＶＳＩに対応していないので、ＨＤＭＩ信号にＶＳＩフラグを重畳しない。一方、ＯＳＤの重畳様式については、放送フラグ情報が３Ｄであると検出した場合（Ｃ２）は、再生装置１は、ＳＢＳ様式でＯＳＤ映像をコンテンツ映像に重畳して出力映像を生成し出力する。
【００６４】
このときにＳＢＳ様式でＯＳＤ映像を重畳させる理由は、表示装置２がＶＳＩに対応していないが３Ｄ表示可能であることが考えられるためである。
【００６５】
この場合、再生装置１は、表示装置２を自動的に３Ｄ表示に切り替えさせることはできないが、ユーザが操作により、表示装置２の設定を変更して３Ｄ表示に切りかえることは可能である。再生装置１が、ＯＳＤ映像をＳＢＳ様式でコンテンツ映像に重畳しておくことで、ユーザが操作して表示装置２の表示モードを２Ｄ表示としても、３Ｄ表示としても、ＯＳＤの視認性は、充分に保たれる。
【００６６】
また、表示装置２が対応するＨＤＭＩのバージョンが１．３以下の場合（Ｒ２）、表示装置２は、３Ｄに対応していないと考えられる。しかしながら、映像再生表示システムの接続形態により、再生装置１が表示装置２の情報を正しく認識していない場合もありうる。例えば、再生装置１と表示装置２とのＨＤＭＩ接続の間に、ＡＶアンプ等の機器が介在し、該ＡＶアンプのＨＤＭＩバージョンが１．３以下であると、再生装置１は、接続された機器が対応するＨＤＭＩバージョンを１．３以下であると認識する。このような場合には、表示装置２がＨＤＭＩバージョン１．４ａつまりＶＳＩに対応していても、ＶＳＩ時ラグの情報が表示装置２に通知されないことが考えられる。しかしながらＯＳＤ映像の重畳様式は、ＳＢＳ様式に設定されるため、ユーザ操作により表示装置２の表示モードを手動で３Ｄ表示に切り換えれば、３Ｄ表示も可能である。このような場合であっても、ＯＳＤは、充分な視認性が保たれる。表示装置２が、２Ｄ表示のみ可能な表示装置であっても、ＳＢＳ様式で重畳されたＯＳＤの内容は、十分に理解可能だからである。当然のことながら、このような場合には、ＯＳＤの重畳様式を通常様式にすることも可能である。
【００６７】
他方、放送フラグ情報が無いかもしくは３Ｄでないとした場合（Ｃ２）は、ＯＳＤ映像の重畳様式は、は通常様式とする。
【００６８】
次に、「入」が設定されている場合（Ｃ４）、再生装置１は、放送フラグ情報や表示装置が対応可能なＨＤＭＩのバージョン等に関係なく、ＯＳＤの重畳様式をＳＢＳ様式として、動作する。
【００６９】
この設定は、放送または再生ストリームに放送フラグ情報が挿入されていないが、しかし、ユーザが映像をみると明らかにＳＢＳ方式の３Ｄ映像であると判断できる（すなわち３Ｄ放送であるが、３Ｄを示す放送フラグ情報が挿入されていない場合）ときに、強制的に、３Ｄ放送として扱うためのＯＳＤ表示設定モードである。
【００７０】
このとき、再生装置１は、表示装置２がＶＳＩに対応している場合（表示装置２がＨＤＭＩのバージョン１．４ａの３Ｄ表示装置である場合）（Ｒ１）、ＶＳＩフラグをＨＤＭＩ信号に重畳する。また、ＯＳＤ映像の重畳は、ＳＢＳ様式で行われる。
【００７１】
逆に、再生装置１は、表示装置２がＶＳＩに対応していない場合（ＨＤＭＩのバージョン１．４以下であるか、または１．４ａ以上であるが３Ｄ非対応の表示装置）（Ｒ２）、表示装置２がＶＳＩに対応していないのでＶＳＩフラグをＨＤＭＩ信号に重畳しない。ただし、ＯＳＤ映像の重畳は、ＳＢＳ様式で行われる。
【００７２】
以上のようにすることで、３Ｄ放送時に３Ｄを示す放送フラグ情報が放送波等に重畳されていない場合でも、再生装置１は、ユーザ設定にもとづき、強制的にＯＳＤ映像をＳＢＳ様式でコンテンツ映像に重畳して出力映像を生成する。ＯＳＤ映像の重畳様式は、ＳＢＳ様式に設定されるため、ユーザ操作により表示装置２の表示モードが手動で３Ｄ表示に切り換えられても、ＯＳＤの視認性は、充分に保たれる。
【００７３】
最後に、「切」が設定されている場合（Ｃ５）、再生装置１は、従来と同様に、ＯＳＤ映像を通常様式でコンテンツ映像に重畳する。また、再生装置１は、ＶＳＩフラグをＨＤＭＩ信号に重畳しない。
【００７４】
以上説明したように実施の形態１によれば、再生装置１は、映像ソースから送られるストリーム信号中のフラグ情報を検出し、表示装置２のＨＤＭＩのバージョンや３Ｄ表示可否の情報を読み取り、それらに応じてＯＳＤ映像の重畳様式や、ＶＳＩフラグの重畳／非重畳を切り替える。そうすることにより、表示装置２において、ＯＳＤは、常時視認性を高く保って正しく表示される。また、再生装置１は、ＶＳＩフラグを用いて、表示装置２の映像表示のモードを自動的に切り換えさせることも可能になる。なお、実施の形態１では、ＶＳＩを用いてフラグ情報を重畳し、表示装置２の２Ｄ／３Ｄ表示を切り替えることを説明したが、これ以外の方法で表示装置２の表示モードを２Ｄ／３Ｄで切り換えてもよい。別の方法としては、ＣＥＣ（ＣＯＮＳＵＭＥＲ  ＥＬＥＣＴＲＯＮＩＣＳ  ＣＯＮＴＲＯＬ）やＬＡＮ（Ｌｏｃａｌ  ａｒｅａ  ｎｅｔｗｏｒｋ）を用いてもよい。
【００７５】
なお、実施の形態１では、ＶＳＩフラグをＨＤＭＩ信号に重畳することにより、表示装置２の映像表示モードを３Ｄ表示に切り替えることを説明したが、表示装置２の表示画面の内容（コンテンツ映像の内容）によっては、ＶＳＩフラグを重畳せずに、表示装置２の表示モードを２Ｄ表示のままにするようにしてもよい。例えば、視聴や再生中に初期設定画面を表示したり、あるいはデータ放送画面に切り換えたり、番組表を表示したり、録画一覧を表示したり、といった場合には、ＶＳＩフラグを重畳しなくともよい。つまり、表示装置２の表示面の全面を用いて映像表示を行わない場合には、表示装置２の表示モードを積極的に３Ｄ表示に切り換える必要はないので、再生装置１は、ＶＳＩフラグをＨＤＭＩ信号に重畳せずに、表示装置２を２Ｄ表示のままにする。そのとき表示される画面における重畳映像については、通常様式でコンテンツ映像に重畳されるものとする。
【００７６】
なお、実施の形態１では、再生時に放送フラグ情報を検出し、ＶＳＩフラグの重畳／非重畳や、ＯＳＤ映像の重畳様式を可変的に制御することを説明した。しかしながら、例えば、放送録画時に放送フラグ情報を検出し、その放送フラグ情報を保持し、録画終了後に管理情報として放送フラグ情報を記録してもよい。そうすることで、録画された番組の一覧表示時では、たとえば録画された放送が、３Ｄ放送であるか否かを判定し、３Ｄほうそうである場合には、一覧表示において当該放送が３Ｄ放送であることを示すアイコンなどを表示してもよい。そのようにして３Ｄアイコンが表示されている番組が選択され再生される場合は、再生装置１は、仮に、再生ストリームの先頭に３Ｄを示す放送フラグ情報が重畳されていない場合であっても、最初からＶＳＩフラグをＨＤＭＩ信号に重畳し、ＯＳＤ映像をＳＢＳ方式でコンテンツ映像に重畳して出力してもよい。このようにすることで、１つの録画放送（番組）中で２Ｄ映像と３Ｄ映像とが混在するような場合でも、表示装置２が、その映像表示モードを２Ｄ表示と３Ｄ表示との間で切り換えることを防ぐことができる。ただし、そのような場合、映像表示において録画放送（番組）中の２Ｄ映像の区間の表示がくずれて見苦しい表示となる場合があり得るので、例えば、放送フラグ情報が切り替わるストリーム位置情報をチャプター情報として管理情報の領域に記録しておき、３Ｄ再生時は、２Ｄ区間になった場合、チャプタースキップを実施し、２Ｄ映像の区間をスキップしながら再生してもよい。なお、チャプタースキップは再生機器１が、自動で実施してもよいし、ユーザが任意で手動的に再生装置１に対し実施を指示してもよい。
【００７７】
なお、３Ｄアイコンを表示した番組と通常の２Ｄ番組とを編集で番組同士を結合した場合、上記の録画された番組の一覧表示では、結合され１つになった番組を３Ｄ番組として扱ってよい。
【００７８】
（実施の形態２）
つぎに実施の形態２による再生装置の動作について、図５を参照して説明する。実施の形態２による再生装置は、実施の形態１による再生装置１と同等の構成を有せばよい。ただし、実施の形態２による再生装置は、ＯＳＤ表示設定の設定値が「入」に設定されている場合における動作に特徴を有する。具体的には、実施の形態２による再生装置では、当該「入」設定が有効な期間の終期を、再生装置が自動的に決定する。そうして、再生装置は、決定した終期になると、当該「入」設定を自動的に解除する。
【００７９】
図５は、本再生装置の処理の流れを示すフローチャートである。
【００８０】
先ず、ＯＳＤ表示設定の設定値は、「切」であるとする。
【００８１】
本再生装置は、コンテンツ（放送中の番組、録画された番組、光ディスク等記録媒体により流通されるコンテンツ等）の再生を開始する（Ｓ１１）。このときＯＳＤ表示設定は「切」に設定されているから、ＯＳＤ映像の重畳様式は通常様式であり、ＶＳＩフラグの重畳も行われない。
【００８２】
次に、再生装置１は、ユーザが、ＯＳＤ表示設定を「入」に切り換えたか否かを判定する（Ｓ１２）。切り換えたと判定した場合（ステップＳ１２における「ＹＥＳ」）には、処理は、ステップＳ１４へ進む。
【００８３】
その場合、再生装置１は、ＯＳＤ映像の重畳様式をＳＢＳ様式に変更してコンテンツ映像への重畳を行う（Ｓ１４）。表示装置２がＶＳＩに対応している場合（ＨＤＭＩのバージョン１．４ａ対応の３Ｄ表示装置である場合）、再生装置１は、ＶＳＩフラグの重畳を開始する。
【００８４】
再生装置１は、コンテンツコンテンツ（番組）の再生が終了したか否か判定する（Ｓ１５）。再生装置１が、コンテンツの再生が終了したと判定した場合（ステップＳ１５における「ＹＥＳ」）には、ＯＳＤ映像の重畳様式をＳＢＳ様式から通常様式へ切り換える（Ｓ１６）。また、再生装置１は、ＨＤＭＩ信号にＶＳＩフラグを重畳していた場合には、ＶＳＩフラグの重畳を停止する。
【００８５】
このようにして、実施の形態２による再生装置は、１つのコンテンツの再生が完了した時点で、ＯＳＤ映像のＳＢＳ様式による重畳やＶＳＩフラグの重畳を停止する。そうすることで、常時、表示装置がＯＳＤ等をＳＢＳ様式で重畳してしまうことを防止する。この理由としては、先ず、再生されるあらゆる３Ｄコンテンツ（番組）が、３Ｄを示す放送フラグ情報を含まないことは稀であるからである。むしろ、ユーザがＯＳＤ表示設定を「入」に設定するのは、そのときに再生しようとする３Ｄコンテンツ（番組）に対する設定であると考えられる。そのため、コンテンツの再生が完了した時点で、ＯＳＤ表示設定を「入」から「オート」または「切」に切り換えることで、ユーザの手間を省く効果が期待できる。第２の理由としては、３Ｄを複数番組を連続して視聴することによる眼精疲労を回避するように観察者を誘導することが挙げられる。なお、コンテンツの単位とは、通常は番組単位で、それは、録画開始から録画終了までの部分を示す。例えば番組表を用いて予約録画が設定される場合には、番組表で表示される１つの番組単位が、１つのコンテンツとなる。もし、つぎのコンテンツも３Ｄで見たい場合は、ユーザが再び設定値を「入」にする。
【００８６】
なお、実施の形態２でも、３Ｄ映像は、ＳＢＳ方式の３Ｄ映像に限定されない。３Ｄ映像には、トップ・アンド・ボトム方式の３Ｄ映像も含んでよい。
【００８７】
（実施の形態３）
つぎに実施の形態３による再生装置の動作について、図６を参照して説明する。実施の形態３による再生装置１ａは、実施の形態１による再生装置１と実質同等の構成を有せばよい。ただし、実施の形態３による再生装置１ａは、表示装置２ａとの接続の形態が異なる。再生装置１ａと表示装置２ａとは、ＨＤＭＩではなく、ＬＡＮで接続される。つまり、図６においては、３Ｄ映像再生表示システムは、ＤＬＮＡ（Ｄｉｇｉｔａｌ  Ｌｉｖｉｎｇ  Ｎｅｔｗｏｒｋ  Ａｌｌｉａｎｃｅ）に基づいて構成される。また、以下の説明では、重畳映像は、リモートＵＩに関する映像である。
【００８８】
再生装置１ａはＤＬＮＡのサーバであり、表示装置２ａはＤＬＮＡのクライアントもしくはレンダラである。
【００８９】
再生装置１ａは記憶部を構成するディスク（ハードディスクまたは光ディスク、フラッシュメモリなど）に記録されているストリームを、ＬＡＮ４ａを介して表示装置２ａへ送る。
【００９０】
表示装置２ａは、入力されるストリームをデコードし、表示する。
【００９１】
表示装置２ａは、ストリーム中にある放送フラグ情報を検出する。検出した放送フラグ情報の内容がＳＢＳ方式３Ｄ映像を示した場合には、表示装置２ａは、映像表示モードを３Ｄ表示に切り替える。
【００９２】
このとき、表示装置２ａにおいて、ローカルにＯＳＤを生成して表示している場合には、ＯＳＤ表示も３Ｄ表示に適合させるため、左映像と右映像とに各々描画して（つまり、ＳＢＳ様式等で）出力する。
【００９３】
例えば、再生装置１のメタデータ生成部がメタデータ（ＸＭＬやＨＴＭＬなど）を生成して、当該メタデータを表示装置２ａへ送り、表示装置２ａがメタデータに基づいて表示画面（リモートＵＩ等の重畳映像）を生成して表示する場合には、再生装置１ａは、自身が出力中のストリームの放送フラグ情報を検出し、検出した放送フラグ情報がＳＢＳ方式の３Ｄ映像であることを示していると、上記のメタ情報の内容を、ＳＢＳ様式で生成しなおし、表示装置２ａへ再送信する。これにより、再生装置１ａ側からメタ情報によって送信される表示画面（リモートＵＩ）についても、３Ｄ表示において正しく表示され、３Ｄで見ることが可能になる。
【００９４】
以上のように、実施の形態３では、リモートＵＩを３Ｄ表示する場合、再生装置１ａが出力するメタ情報をＳＢＳ様式で生成しなおすことで、表示装置２ａの３Ｄ表示においてもリモートＵＩを正常に表示させることができる。なお、再生装置１ａがメタ情報をＳＢＳ様式で再生成する代わりに、表示装置２ａが、リモートＵＩの映像を、ＳＢＳ様式で再描画して表示してもよい。
【００９５】
なお、実施の形態３でも、３Ｄ映像は、ＳＢＳ方式の３Ｄ映像に限定されない。３Ｄ映像には、トップ・アンド・ボトム方式の３Ｄ映像も含んでよい。
【００９６】
（実施の形態４）
つぎに実施の形態４による再生装置の動作について、図７を参照して説明する。実施の形態４による再生装置は、実施の形態１による再生装置１と同等の構成を有せばよい。ただし、実施の形態４による再生装置は、接続された表示装置の映像表示モードに基づいて、重畳映像の重畳様式を可変的に制御する。図７は、本実施の形態による再生装置の動作を示すフローチャートである。
【００９７】
実施の形態４による再生装置は、表示装置２がアンテナ等から放送波を直接入力して放送を表示している際に、表示装置２と再生装置１との間でのリンク機能をつかって放送番組の視聴の一時停止（再生装置１による録画およびその追っかけ再生）を行うような場合に、以下のようにして動作する。
【００９８】
視聴の一時停止機能では、表示装置２が放送番組を視聴中に表示装置２に対する操作（再生装置１に対する操作でもよい）により、一時停止の指示を受けると、ＨＤＭＩのＣＥＣを用いて、再生装置１へ当該番組の視聴の一時停止を通知するメッセージが送信される。当該メッセージを受信した再生装置１は、自身のチューナ１２を表示装置２が選局している放送局と一致させ、当該放送局から送られる番組の録画を開始する。それと同時に、表示装置２の表示画面には、「一時停止中です」などのメッセージが表示される。このとき、表示装置２は、表示装置２のアンテナ等からの直接入力による表示を、ＨＤＭＩの入力画面、すなわち再生装置１の出力による表示に切り替える。これにより、表示装置２の表示画面は再生装置１の出力を表示する。
【００９９】
例えば、表示装置２で３Ｄ放送を受信中（すなわち放送フラグ情報がＳＢＳ方式の３Ｄ映像を示す場合）でかつ、この放送を強制的に２Ｄ表示している場合、視聴の一時停止操作が実施されることで、表示装置２は、入力を再生装置１の出力に切り替える。再生装置１の出力は、実施の形態１によれば、ＯＳＤ表示設定が「オート」であれば、再生装置１が受信する放送フラグ情報はＳＢＳ方式の３Ｄ映像を示しているために、表示装置２がＶＳＩに対応したＨＤＭＩのバージョンが１．４ａ対応である場合に、ＶＳＩフラグをＨＤＭＩ信号に重畳し、ＳＢＳ様式でＯＳＤ映像をＳＢＳ方式の３Ｄ映像であるコンテンツ映像に重畳して出力してしまう。すると、一時停止を行う直前では表示装置２は２Ｄ表示であったのにもかかわらず、一時停止後は３Ｄ表示に切り替わってしまう。
【０１００】
そこで、実施の形態４による再生装置は、上記のような映像表示モードの自動的な切り替わりを回避するため、表示装置２は、再生装置１に一時停止を通知する場合に、２Ｄ表示中なのか、３Ｄ表示中なのかを示す情報もあわせて通知する（ＣＥＣで通知する）。当該通知にもとづき、再生装置１は、表示装置２から送られた一時停止の通知により、表示装置２の現在の映像表示モードに関する情報を取得し、当該情報にもとづいて、表示装置２へ出力する映像をＳＢＳ方式の３Ｄ映像とするか、２Ｄ映像とするかを決定する。仮に、再生装置１が、一時停止の通知により表示装置２が現在２Ｄ表示であることを認識すると、一時停止の解除後は、出力映像を２Ｄで出力する。つまり、再生装置１は、ＨＤＭＩ信号にＶＳＩフラグを重畳せず、ＯＳＤも通常様式でコンテンツ映像に重畳して、映像出力を行う。逆に、再生装置１が、一時停止の通知により表示装置２が現在３Ｄ表示であることを認識すると、ＨＤＭＩ信号にＶＳＩフラグを重畳し、ＯＳＤをＳＢＳ様式でコンテンツ映像に重畳して、映像出力を行う。
【０１０１】
つぎに上記とは逆に、放送フラグ情報が無いかまたは２Ｄを示す場合に、表示装置２に強制的に３Ｄ表示（ＳＢＳ方式の３Ｄ映像として処理して表示）させて番組を視聴している際に一時停止した場合は、実施の形態１によれば、ＯＳＤ表示設定が「オート」であれば、再生装置１が受信する放送フラグ情報が３Ｄを示していないために、ＶＳＩフラグをＨＤＭＩ信号に重畳せず、通常様式でＯＳＤ映像をコンテンツ映像に重畳して出力してしまう。すると、一時停止を行う直前では表示装置２は３Ｄ表示であったのにもかかわらず、一時停止後は２Ｄ表示に切り替わってしまう。
【０１０２】
そこで同様に、実施の形態４による再生装置は、上記のような映像表示モードの自動的な切り替わりを回避するため、表示装置２は、再生装置１に一時停止を通知する場合に、２Ｄ表示中なのか、３Ｄ表示中なのかを示す情報もあわせて通知する（ＣＥＣで通知する）。当該通知にもとづき、再生装置１は、表示装置２から送られた一時停止の通知により、表示装置２の現在の映像表示モードに関する情報を取得し、当該情報にもとづいて、表示装置２へ出力する映像をＳＢＳ方式の３Ｄ映像とするか、２Ｄ映像とするかを決定する。仮に、再生装置１が、一時停止の通知により表示装置２が現在３Ｄ表示であることを認識すると、一時停止の解除後は、出力映像を３Ｄで出力する。つまり、再生装置１は、（表示装置２がＶＳＩ対応の場合に）ＨＤＭＩ信号にＶＳＩフラグを重畳し、ＯＳＤ映像をＳＢＳ様式でコンテンツ映像に重畳して、映像出力を行う。よって本実施の形態では、一時停止の前後における表示装置２の映像表示モードの自動的な切り替わりを回避することができる。
【０１０３】
図７を参照し、本実施の形態による再生装置１によるＯＳＤ映像の重畳様式の制御について整理する。
【０１０４】
再生装置１は、一時停止が解除されると、コンテンツ（録画された放送）の再生を開始する（Ｓ２１）。
【０１０５】
再生装置１は、一時停止の通知と併せて表示装置２が３Ｄ表示中か２Ｄ表示中かを示す情報を受け取ったか否かを判断する（Ｓ２２）。
【０１０６】
再生装置１は、３Ｄ表示中か２Ｄ表示中かを示す情報を受け取った場合、３Ｄ表示中か否かを判断する（Ｓ２３）。
【０１０７】
表示装置２が３Ｄ表示中であれば、再生装置１は、ＯＳＤ映像をＳＢＳ様式でコンテンツ映像に重畳して出力する（Ｓ２４）。
【０１０８】
表示装置２が２Ｄ表示中であれば、再生装置１は、ＯＳＤ映像を通常様式でコンテンツ映像に重畳して出力する（Ｓ２５）。
【０１０９】
以上、実施の形態４で説明したように、表示装置２が再生装置１に対して一時停止機能を実施する場合は、同時に表示装置２の映像表示モードが２Ｄ表示であるか、またはＳＢＳ方式の３Ｄ表示であるかも通知することで、一時停止前と一時停止後での表示状態を同じにすることができ、違和感無く視聴することができる。なお、実施の形態４ではＳＢＳ方式の３Ｄについて説明したが、これに限らず例えば、トップ・アンド・ボトム方式の３Ｄであってもよい。
【０１１０】
また、本実施の形態において、表示装置２に対する操作で再生装置１を操作するための操作画面を出す機能がある（いわゆる表示装置２のリモコンによるリンク機能）が、これにも利用可能である。この機能は表示装置２のリモコンで、再生装置１の操作画面を出すためのボタン（例えばリンクボタン）を押すと、このボタンが押されたことを示す情報がＨＤＭＩのＣＥＣ経由で再生装置１に送信され、再生装置１が、操作画面を出力する仕組みになっている。
【０１１１】
前記操作画面の操作は、表示装置２のリモコンの特定のボタン（例えばカーソルボタンなど）が押されたという情報を逐次ＣＥＣ経由で再生装置１へ送信することで実現でき、表示装置２のリモコンを使って、再生装置１を実質的に操作できる。
【０１１２】
このとき、例えば、再生装置１の出力を、表示装置２に対する操作によりＳＢＳ方式の３Ｄ映像として表示させている場合、表示装置２のリモコンのリンクボタンを押した場合は、従来は、再生装置１は、表示装置２が３Ｄ表示を行っていることを認識できなかったため、操作画面を２Ｄ映像として出力してしまう。そのため、操作画面が正しく表示されない、という問題があった。しかしながら本実施の形態では、表示装置２のリンクボタンを押した場合に、そのボタンが押された情報とともに、表示装置２の現在の映像表示モードが３Ｄ表示であるか２Ｄ表示であるかを示す情報も通知することができ、再生装置１は、操作画面を２Ｄ映像ではなく、ＳＢＳ方式の３Ｄ映像として出力することができ、操作画面を正しく表示させることができる。
【０１１３】
逆に、再生装置１が３Ｄ映像を出力中に、表示装置２が２Ｄ表示を行っている場合でも、表示装置２から再生装置１へ２Ｄ表示中であることを通知することができ、再生装置１は操作画面を２Ｄ映像として出力することで当該操作画面を正しく表示させることができる。以上のように、本実施の形態は、表示装置２が再生装置１に対してリンク機能を実施する場合でも利用可能である。
【０１１４】
また、本実施の形態においては、出力部としてＨＤＭＩ出力部１８を用いたがこれに限られるものではない。即ち、３Ｄ方式の映像信号を出力できる出力部であれば、本実施の形態を実施することができる。
【０１１５】
また、本実施の形態の再生装置１は、光ディスクを再生する再生装置であるがこれに限られるものではなく、３Ｄ映像を出力できる装置であればよい。即ち、ＨＤＤやフラッシュメモリなど他の記録媒体に記録された３Ｄ映像データをデコードして出力する装置であっても良いし、３Ｄに対応した放送を受信して出力する装置であってもよい。
【０１１６】
（変形例）
なお、実施の形態１〜４においては、再生装置は、出力する映像がＳＢＳ方式またはトップ・アンド・ボトム方式の３Ｄ映像である場合、その映像を立体表示させたときに左目映像に重畳されたＯＳＤ映像と右目映像に重畳されたＯＳＤ映像とが一致するように、スクリーン画面（コンテンツ映像）の左目映像領域および右目映像領域それぞれにＯＳＤ映像を重畳した。しかし、以下に示す場合においては一致するように重畳することなく、２Ｄ映像と同様に（通常様式で）スクリーン画面全体にＯＳＤ映像を重畳してもよい。その場合とは、例えば、録画一覧画面や番組表をＯＳＤ映像として画面全面を使って表示し、その一部に小窓としてコンテンツ映像を表示させるような場合である。このような場合、表示装置２は、３Ｄ表示ではなく、２Ｄ表示で表示することが多い。したがって、コンテンツ映像がＳＢＳ方式またはトップ・アンド・ボトム方式の３Ｄ映像である場合であっても、ＯＳＤ映像を２Ｄと同様に（通常様式で）スクリーン画面の全体に重畳して出力する。
【産業上の利用可能性】
【０１１７】
本実施の形態による再生装置は、３Ｄ映像を再生することができる映像再生装置として有用である。
【符号の説明】
【０１１８】
１  ・・・  再生装置
１ａ・・・  再生装置（ＤＬＮＡサーバ）
２  ・・・  表示装置
２ａ・・・  表示装置（ＤＬＮＡクライアント（レンダラ））
３  ・・・  ３Ｄメガネ
４  ・・・  ＨＤＭＩ伝送路
４ａ・・・  ＬＡＮ
５  ・・・  無線伝送路
１１  ・・・  映像ソース部
１２  ・・・  チューナ部
１３  ・・・  アンテナ
１４  ・・・  光ディスクドライブ
１５  ・・・  光ディスク
１６  ・・・  デコーダ部
１７  ・・・  ＯＳＤ合成部
１８  ・・・  ＨＤＭＩ出力部
１９  ・・・  ＣＰＵ
２０  ・・・  ＯＳＤ作成部
２１  ・・・  リモコン信号受信部
【図１】
2012017687.tif 000003
【図２】
2012017687.tif 000004
【図３】
2012017687.tif 000005
【図４】
2012017687.tif 000006
【図５】
2012017687.tif 000007
【図６】
2012017687.tif 000008
【図７】
2012017687.tif 000009
【図８Ａ】
2012017687.tif 000010
【図８Ｂ】
2012017687.tif 000011
【手続補正書】
【提出日】平成24年11月28日(2012.11.28)
【手続補正１】
【補正対象書類名】明細書
【補正対象項目名】全文
【補正方法】変更
【補正の内容】
【発明の詳細な説明】
【技術分野】
【０００１】
技術分野は、映像再生装置に関し、特に、立体視可能な映像（立体映像）を再生可能な映像再生装置に関する。
【背景技術】
【０００２】
近年、立体映像（３Ｄ映像）を表示可能な表示装置（３Ｄテレビ等）に関連した技術開発が急速に進展している。その背景としては、映画館での３Ｄ映画のヒットや、一部の放送局がＢＳ（Broadcasting Satellite）デジタル放送やＣＳ（Communications Satellite）デジタル放送において３Ｄ放送を開始したことが挙げられる。表示装置である３Ｄテレビや、表示装置に３Ｄ映像を送出する映像再生装置については、各メーカからすでに商品化されているものもあり、一般家庭における３Ｄ映像の視聴環境は整いつつある。
【０００３】
３Ｄ映像を観察する方法には、大別して２種類の方法がある。
【０００４】
１つは、観察者が裸眼で、表示装置が映し出す３Ｄ映像を観察する方法である。この方法の例としては、例えば、特許文献１や特許文献２に開示されているような、パララックスバリア方式やレンティキュラ方式が挙げられる。
【０００５】
もう１つは、観察者が専用メガネをかけて、表示装置が映し出す３Ｄ映像を観察する方法である。この方法の例としては、例えば、特許文献３に開示されるように、テレビに特殊なフィルムを貼り付けるとともに観察者が偏向メガネをかけて３Ｄ映像を観察する方法や、特許文献４や特許文献５に開示されるように、観察者が液晶シャッターメガネをかけて３Ｄ映像を観察する方法が挙げられる。
【０００６】
いずれの方法においても、３Ｄ映像は、観察者の左目に提示される映像（左目映像）と右目に提示される映像（右目映像）を含んで構成され、ソース機器からシンク機器（表示装置）へ入力される。
【０００７】
次に、映像再生装置等のソース機器が３Ｄ映像を表示装置へ入力する方法について概説する。表示装置へ３Ｄ映像を入力する方法には、大別して２種類の方法がある。
【０００８】
１つは、３Ｄ映像の左目映像と右目映像とを含んだ１フレーム映像を表示装置へ入力する方法である。
【０００９】
もう１つは、左目映像のフレームと右目映像のフレームとを、時間的に交互に表示装置へ入力する方法である。
【００１０】
前者の方法の代表例としては、トップ・アンド・ボトム方式がある。このトップ・アンド・ボトム方式では、例えば、３Ｄ映像が１９２０×１０８０の画素数を有するような場合、左目映像および右目映像それぞれの垂直方向の画素数を半分に減らして１９２０×５４０画素の左目映像および右目映像を生成し、一方の下端と他方の上端においてそれらを結合して１９２０×１０８０の１フレームの映像を構成し、そのようにして構成された１フレームの映像を表示装置へ入力する。他にもサイド・バイ・サイド方式と呼ばれる方式があり、この場合、例えば、左目映像および右目映像それぞれの水平方向の画素数を半分に減らして９６０×１０８０画素の左目映像および右目映像を生成し、一方の右端と他方の左端においてそれらを結合して１９２０×１０８０の１フレームの映像を構成し、そのようにして構成された１フレームの映像を表示装置へ入力する。
【００１１】
先に紹介したＢＳ／ＣＳデジタル放送での３Ｄ放送などは、サイド・バイ・サイド方式で実施される。また、光ディスク（ＤＶＤ、Ｂｌｕ−ｒａｙディスク等）やメモリーカードといった記録メディアに記録され流通されるコンテンツや、インターネット等のネットワークを介して配信されるコンテンツにも、サイド・バイ・サイド方式で３Ｄ映像が記録された３Ｄコンテンツが存在する。
【００１２】
トップ・アンド・ボトム方式やサイド・バイ・サイド方式といった方式に従って３Ｄ映像信号が表示装置へ入力されると、表示装置は、ユーザの指示により、または、３Ｄ映像信号と併せて入力される信号により、映像の１フレームを上下または左右に分割し、適切なスケーリングを行って左目映像および右目映像を生成し、３Ｄ映像表示を行う。
【００１３】
観察者は、表示装置に映し出される左目映像および右目映像を、左目または右目で観察することにより、左目映像および右目映像に含まれる視差に応じた奥行き感を感じ取ることができる。
【先行技術文献】
【特許文献】
【００１４】
【特許文献１】特開平９−４３５４０号公報
【特許文献２】特開平９−３１８９１１号公報
【特許文献３】特許第３７９６４１４号公報
【特許文献４】特開平６−２５４０４６号公報
【特許文献５】特開平７−３３６７２９号公報
【特許文献６】特開２００６−３５２８７６号公報
【特許文献７】国際公開２０１０／０３２３９９号パンフレット
【特許文献８】特開平１０−０９３８８０号公報
【特許文献９】特開２０１０−２６８０４８号公報
【特許文献１０】特開２０１０−２８８２３４号公報
【発明の概要】
【発明が解決しようとする課題】
【００１５】
映像再生装置は、チューナ、光ディスクドライブ、ハードディスクドライブ、メモリーカードといった映像ソースから提供されるデータに基づいて映像（コンテンツ映像）を生成して表示装置へ送出するのみならず、当該コンテンツ映像に別の映像（重畳映像）を重畳することにより映像に付加的な情報を付与して表示装置へ送出することもできる。例えば、重畳映像とは、放送波、光ディスクといった記録媒体等から供されるデータに基づく字幕やグラフィクス、映像再生装置等の各種装置の操作画面や装置の状態を示すオン・スクリーン・ディスプレイ（On-Screen Display, OSD）に関する映像である。
【００１６】
図８Ａは、映像再生装置が、サイド・バイ・サイド方式の（左目映像の領域Ｌ’および右目映像の領域Ｒ’を含んだ）３Ｄ映像であるコンテンツ映像に重畳映像（ＯＳＤ１００およびＯＳＤ２００）を重畳する場合に、表示装置へ出力される映像を示す例図である。従来の映像再生装置は、重畳映像を重畳する映像（コンテンツ映像）がサイド・バイ・サイド方式（以下、「ＳＢＳ方式」とも表記する。）の３Ｄ映像であっても、通常の映像（非３Ｄ映像）に重畳映像を重畳するのと同様にして、重畳映像の重畳を行う。
【００１７】
そのため、重畳映像が重畳されたＳＢＳ方式の３Ｄ映像を表示装置において３Ｄ表示した場合、図８Ｂに示すように、ＯＳＤ１００およびＯＳＤ２００の形状や表示位置が、通常映像の２Ｄ表示の場合とは異なって表示される。図８Ｂの例では、ＯＳＤ１００は、自身の別の部分やＯＳＤ２００と重複して表示されてしまい、視認性が著しく損なわれている。ＯＳＤ２００についても同様である。
【００１８】
このように、従来の映像再生装置においては、コンテンツ映像（重畳映像が重畳される映像）がＳＢＳ方式（または、トップ・アンド・ボトム方式）といった３Ｄ映像であるときに、重畳映像の視認性が低下することがあった。
【００１９】
上記を鑑み、本実施の形態は、重畳映像の視認性の低下を抑制することができる映像再生装置を提供する。
【課題を解決するための手段】
【００２０】
その一態様は、入力されるストリームデータをデコードしてコンテンツ映像を生成するデコーダ部と、コンテンツ映像に重畳するための重畳映像を作成する作成部と、重畳映像をコンテンツ映像に重畳して出力映像を生成する合成部と、出力映像を出力する出力部と、作成部および合成部を制御する制御部と、を有し、制御部は、ストリームデータに基づいてコンテンツ映像が２Ｄ映像であるか、左目用画像の領域と右目用画像の領域とを含んだサイド・バイ・サイド形式の３Ｄ映像であるかを判断し、合成部は、コンテンツ映像が２Ｄ映像である場合には、コンテンツ映像内の特定部分に重畳映像を重畳し、コンテンツ映像がサイド・バイ・サイド形式の３Ｄ映像である場合には、コンテンツ映像内の左目用画像の領域のうち、２Ｄ映像の特定部分に対応する部分と、コンテンツ映像内の右目用画像の領域のうち、２Ｄ映像の特定部分に対応する部分と、に重畳映像を重畳する、映像再生装置である。
【発明の効果】
【００２１】
本実施の形態による映像再生装置は、コンテンツ映像が２Ｄ映像である場合には、コンテンツ映像内の特定部分に重畳映像を重畳し、コンテンツ映像がサイド・バイ・サイド形式の３Ｄ映像である場合には、コンテンツ映像内の左目用画像の領域のうち、２Ｄ映像の特定部分に対応する部分と、コンテンツ映像内の右目用画像の領域のうち、２Ｄ映像の特定部分に対応する部分と、に重畳映像を重畳する。そうすることで、表示装置において３Ｄ表示された場合における重畳映像の視認性の低下を抑制する。
【図面の簡単な説明】
【００２２】
【図１】実施の形態による映像再生装置を含んで構成される映像再生表示システムの構成図
【図２】実施の形態による映像再生装置の構成を示すブロック図
【図３】実施の形態による映像再生装置がする処理のフローチャート
【図４】ＯＳＤ映像の重畳様式、ＶＳＩフラグの重畳／非重畳を、諸条件で場合分けして示す図
【図５】実施の形態による映像再生装置がする処理のフローチャート
【図６】実施の形態による映像再生装置を含んで構成される映像再生表示システムの構成図
【図７】実施の形態による映像再生装置がする処理のフローチャート
【図８Ａ】サイド・バイ・サイド方式の３Ｄ映像にＯＳＤを重畳して生成される映像の例図
【図８Ｂ】図８Ａに示す映像を表示装置において３Ｄ表示した場合に表示される映像例を示す図
【発明を実施するための形態】
【００２３】
以下、実施の形態について、詳細に説明する。
【００２４】
本実施の形態による映像再生装置は、映像に対し別映像を重畳して出力映像を生成する際、出力映像が表示装置により３Ｄ表示されたときに当該別映像も正しく表示されるように、出力映像を生成する。
【００２５】
映像は、放送波、光ディスクといった記録媒体等（映像ソース）に含まれるデータに基づいて生成される映像であり、通常の映像（非３Ｄ映像）ならびにサイド・バイ・サイド方式およびトップ・アンド・ボトム方式等の３Ｄ映像を含む。以下では、別映像が重畳される映像を、「コンテンツ映像」（content image, content picture）と称する。また、以下では、３Ｄ映像であるコンテンツ映像（「３Ｄコンテンツ映像」）の例として、サイド・バイ・サイド方式（ＳＢＳ方式）で構成された３Ｄ映像を挙げるが、３Ｄコンテンツ映像は、ＳＢＳ方式で構成される３Ｄ映像に限定されず、トップ・アンド・ボトム方式等、別の方式で構成される３Ｄ映像を含む。
【００２６】
別映像は、放送波、光ディスクといった記録媒体等（映像ソース）に含まれるデータに基づいて構成される字幕やグラフィクス、映像再生装置等の各種装置の操作画面や装置の状態を示すオン・スクリーン・ディスプレイ（On-Screen Display, OSD）に関する映像を含む。以下では、コンテンツ映像に重畳される映像を、「重畳映像」と称する。また、字幕やグラフィクスは、映像ソース中に映像データとして含まれる情報にもとづいて生成されてもよいし、映像再生装置が、映像ソース中に含まれる文字情報や図形描画情報にもとづいて、内蔵するフォント・データや、描画機能によって生成してもよい。ＯＳＤは、映像再生装置が内蔵するアイコン映像のデータ、フォント・データ、描画機能によって生成されればよい。
【００２７】
（実施の形態１）
図１は、実施の形態１による映像再生装置１を含んで構成される３Ｄ映像再生表示システムの構成図である。当該システムは、専用メガネを使用して３Ｄ映像表示を行うタイプの３Ｄ映像再生表示システムである。ただし、本実施の形態による映像再生装置１は、当該方式と異なる方式で３Ｄ映像表示を行うタイプの３Ｄ映像再生表示システムにも適用可能である。
【００２８】
再生装置１は、２Ｄ放送（非３Ｄ放送）や３Ｄ放送（ＳＢＳ方式等）（以下、「放送」と総称することがある。）を受信し、伝送路４を介して２Ｄ映像や３Ｄ映像を映像再生装置２へ出力することができる。伝送路４は、例えば、ＨＤＭＩ規格に準拠した伝送路である。また、再生装置１は、放送を録画して再生する機能を有してもよい。
【００２９】
なお、再生装置１は、３Ｄ放送を受信あるいは再生して、３Ｄ映像を表示装置２へ出力する場合、表示装置２に対し、出力映像が３Ｄ映像である旨を通知する機能を有する。また、表示装置２は、再生装置１からの上記通知を受信することができ、上記通知に基づいて映像表示モードを２Ｄ表示モードと３Ｄ表示モードの間で自動的に切り替える機能を有する。なお、再生装置１が表示装置２に対し出力映像が２Ｄ映像であるか３Ｄ映像であるかを通知するための方法の詳細については、後で説明する。
【００３０】
メガネ３は、３Ｄ映像を観察するためのメガネであり、観察者はこれを装着して表示装置２に映し出される３Ｄ映像を観察することにより、映像の奥行き感を知覚することが可能になる。メガネ３は、例えば液晶シャッター方式の３Ｄメガネである。この場合、表示装置２は、左目映像および右目映像の表示のタイミングに同期するように、メガネ３のシャッターを開閉制御する。当該制御には、無線伝送路５が用いられる。これにより、観察者の左目には、左目映像のみが提示され、逆に右目には右目映像のみが提示される。なお、表示装置２、および、メガネ３による３Ｄ映像提示方式には、先に紹介したさまざまな方式を採用することが可能である。
【００３１】
図２は、本実施の形態による再生装置１の構成を示すブロック図である。再生装置１は、放送波を受信するアンテナ１３から電気信号を入力するチューナ１２、光ディスク１５（書き込み可能ＤＶＤ、書き込み可能Ｂｌｕ−ｒａｙディスク等）に放送を記録する光ディスクドライブ１４等を含んだ映像ソース部１１と、映像ソース部１１から出力されるストリーム信号を入力しストリーム信号を復号してコンテンツ映像の信号出力するデコーダ部１６と、コンテンツ映像にオン・スクリーン・ディスプレイ（ＯＳＤ）の映像（重畳映像）を重畳して出力映像を生成し、その信号をＨＤＭＩ出力部１８へ出力するＯＳＤ合成部（重畳映像合成部）１７と、出力映像の信号を表示装置２等へ出力するＨＤＭＩ出力部１８と、コンテンツ映像に重畳するＯＳＤ映像（重畳映像）を作成するＯＳＤ作成部（重畳映像作成部）２０と、図示しないリモコンからの信号を受信するリモコン信号受信部２１と、再生装置１を制御する中央処理装置（ＣＰＵ）１９と、を有する。
【００３２】
なお、光ディスクドライブ１４は、読み出し専用のＤＶＤやＢｌｕ−ｒａｙディスクに記録された２Ｄ／３Ｄコンテンツを読み出すことも可能である。
【００３３】
なお、映像ソース部１１は、チューナ１２、光ディスクドライブ１４のほか、ハードディスクドライブ、半導体メモリ、不揮発性メモリ等を含んでよい。
【００３４】
なお、デコーダ部１６は、ストリーム信号から字幕やグラフィクスの情報を取得して出力することも可能である。
【００３５】
なお、ＯＳＤ合成部１７は、字幕やグラフィクスの映像をコンテンツ映像に重畳することも可能である。この場合、ＯＳＤ作成部２０は、字幕やグラフィクスの映像を作成することができる。
【００３６】
チューナ１２は、放送波を入力し、放送波に基づいてトランスポートストリーム信号を生成してデコーダ部１６へ出力する。
【００３７】
ここで、放送波には、映像再生装置１が放送内容（２Ｄ放送、ＳＢＳ方式の３Ｄ放送、トップ・アンド・ボトム方式の３Ｄ放送）を識別可能とするフラグ情報（以下「放送フラグ情報」と称す）が、放送信号に重畳されているものとする。具体的には、放送フラグ情報は、例えば、トランスポートストリームのＰＭＴ（ｐｒｏｇｒａｍ  ｍａｐ  ｔａｂｌｅ）や映像信号に重畳されてよい。後者の場合、放送フラグ情報は、映像がＭＰＥＧ２方式で圧縮されている場合には、ｐｉｃｔｕｒｅ  ｈｅａｄｅｒの  ｐｉｃｔｕｒｅ  ｈｅａｄｅｒ  ｅｘｔｅｎｓｉｏｎ  領域にあるｕｓｅｒ  ｄａｔａ領域等に格納すればよく、また、映像がＨ．２６４方式で圧縮されている場合には、ＳＥＩ（Ｆｒａｍｅ  ｐａｃｋｉｎｇ  ａｒｒａｎｇｅｍｅｎｔ  ＳＥＩ）に格納すればよい。
【００３８】
デコーダ部１６では、映像ソース部１１からの入力に基づいて、コンテンツ映像の信号、音声信号等を出力する（以下、「デコード」と称す）。
【００３９】
一方、予め光ディスク１５に録画しておいた放送を再生する場合には、デコーダ１６は、光ディスク１５から読み取られた信号をデコードする。なお、放送を録画する場合には、デコーダ部１６は、チューナ１２から入力されたトランスポートストリーム信号をパーシャル化し、光ディスクドライブ１４へ出力する。あるいは、デコーダ部１６は、チューナ１２からのトランスポートストリーム信号を一旦デコードし、（図示しない）エンコーダが再度圧縮してから光ディスクドライブ１４へ出力してもよい。なお、その際、放送が２Ｄ放送か、ＳＢＳ方式の３Ｄ放送か、トップ・アンド・ボトム方式の３Ｄ放送かを識別可能とする放送フラグ情報については、先ず、デコーダ部１６が放送波から放送フラグ情報を検出し、その検出結果に応じて、（図示しない）エンコーダが、再圧縮の再に、放送フラグ情報を圧縮データ中に挿入する。そのとき、圧縮データ中に挿入させる放送フラグ情報は、例えばＭＰＥＧ２方式で圧縮する場合には、例えば、ｐｉｃｔｕｒｅ  ｈｅａｄｅｒのｅｘｔｅｎｓｉｏｎのｕｓｅｒ  ｄａｔａに格納すればよい。また、Ｈ．２６４方式で圧縮する場合には、放送フラグ情報は、Ｆｒａｍｅ  ｐａｃｋｉｎｇ  ａｒｒａｎｇｅｍｅｎｔ  ＳＥＩに格納すればよい。
【００４０】
なお、録画の際、デコーダ部１６においてチューナ部１２から入力された信号中から放送フラグ情報が検出され、かつ、その検出結果が２Ｄ放送であった場合には、（図示しない）エンコーダによる再圧縮のときに、２Ｄ放送であることを示す放送フラグ情報を圧縮データへ挿入してもよいし、放送フラグ情報を挿入しなくてもよい。２Ｄ放送であることを示す放送フラグ情報については再圧縮時に圧縮データへ挿入しないことにより、既存の再生装置との互換性を完全に確保することができる。例えば、３Ｄ放送の録画に対応していない既存のＭＰＥＧ２方式の再生装置において、当該再生装置のデコーダが、定義されていない放送フラグ情報のｕｓｅｒ  ｄａｔａを誤って解釈して再生動作に影響を与えてしまうといった問題を回避することができる。
【００４１】
このように、デコーダ部１６は、デコード処理以外にも、入力したトランスポートストリームを解析して放送フラグ情報にもとづいて放送（コンテンツ）が２Ｄ放送か（２Ｄコンテンツか）、または、３Ｄ放送か（３Ｄコンテンツか）を判別することができる。さらに、デコーダ部１６は、放送（コンテンツ）が３Ｄ放送（３Ｄコンテンツ）の場合、ＳＢＳ方式かトップ・アンド・ボトム方式かを検出することもできる。デコーダ部１６は、放送フラグ情報に基づく検出結果を、ＣＰＵ１９へ通知する。ＣＰＵ１９は、当該通知に基づいて、ＯＳＤ作成部２０やＯＳＤ合成部１７に対し、コンテンツ映像のタイプが、２Ｄ映像か、ＳＢＳ方式の３Ｄ映像か、トップ・アンド・ボトム方式の３Ｄ映像か、等を通知する。
【００４２】
ＯＳＤ作成部２０は、ＣＰＵ１９からの通知（指示）に基づいて、装置の操作画面の映像（すなわちＯＳＤの映像）のデータを作成する。
【００４３】
ＯＳＤ合成部１７は、デコーダ部１６がデコードして出力した映像（コンテンツ映像）に、ＯＳＤ作成部２０が作成したＯＳＤの映像（重畳映像）を重畳することにより出力映像を生成し、生成した出力映像をＨＤＭＩ出力部１８へ出力する。ＯＳＤ合成部１７は、ＣＰＵ１９の指示に基づいて、ＯＳＤの映像をコンテンツ映像に、通常様式、ＳＢＳ様式、または、トップ・アンド・ボトム様式で、合成する。ここで、通常様式とは、コンテンツ映像が２Ｄ映像である場合に適した（ＯＳＤが正しく表示される）合成様式であり、ＳＢＳ様式とは、コンテンツ映像がＳＢＳ方式３Ｄ映像であって、表示装置２が当該映像を３Ｄ表示した場合にＯＳＤが正しく（所期の形状、大きさで、所期の位置に）表示される合成様式であり、トップ・アンド・ボトム様式とは、コンテンツ映像がトップ・アンド・ボトム方式３Ｄ映像であって、表示装置２が当該映像を３Ｄ表示した場合にＯＳＤが正しく（所期の形状、大きさで、所期の位置に）表示される合成様式である。なお、ＯＳＤ合成部１７は、音声信号については一切の処理を行わずにそのまま出力してよい。
【００４４】
具体的には、ＯＳＤ合成部１７は、ＳＢＳ様式においては、各ＯＳＤ映像を、コンテンツ映像の左目映像の領域と、右目映像の領域とに、それぞれ、合成する。このとき、各ＯＳＤ映像は、左目映像の領域および右目映像の領域の各領域に収まる大きさで、合成される。また、各ＯＳＤ映像が合成される位置は、左目映像の領域および右目映像の領域の互いに対応する位置である。この場合、表示装置２の３Ｄ表示におけるＯＳＤの奥行き感は、表示面と一致する。また、表示装置２において３Ｄ表示された場合にＯＳＤが所定の奥行き感（飛び出し感）をもって知覚されるように、合成位置を、領域間で完全に対応する位置からずらしてもよい。さらに、各ＯＳＤ映像の形状を、通常様式に較べて縦長に（例えば、水平方向の長さを通常様式のそれの１／２にして）変化させてもよい。当該形状の変更は、ＯＳＤ作成部２０により行われてもよい。また、重畳映像が、コンテンツの字幕等の場合、通常様式で用いる字幕フォントに較べて縦長のフォント（例えば、水平方向の長さを通常様式のそれの１／２のフォント）を用いてもよい。また、フォントの選択は、ＯＳＤ作成部２０により行われてもよい。重畳映像が、コンテンツのグラフィクスである場合も同様にグラフィクスの形状を変化させてもよい。
【００４５】
ＨＤＭＩ出力部１８は、ＯＳＤ合成部１７より入力された出力映像の信号と音声信号を表示装置２へ出力する。ＨＤＭＩ出力部１８は、デコーダ部１６が検出した放送フラグ情報にもとづいて、コンテンツ映像が、２Ｄ映像か、ＳＢＳ方式の３Ｄ映像か、トップ・アンド・ボトム方式の３Ｄ映像か、を通知するためのフラグ情報を、出力信号（ＨＤＭＩ信号）に重畳して出力することができる。具体的には、ＨＤＭＩ出力部１８は、ＨＤＭＩ信号に含まれるＶＳＩ（Ｖｅｎｄｅｒ  Ｓｐｅｃｉｆｉｃ  ＩｎｆｏＦｒａｍｅ）に、コンテンツ映像が上記のいずれのタイプの映像であるかの情報を、フラグ形式で記録する。（以降、このフラグを「ＶＳＩフラグ」と称する。）これにより、表示装置２は、ＶＳＩフラグを検出することにより、ＶＳＩフラグの内容に応じて表示方式を２Ｄ表示とするか、ＳＢＳ方式にもとづく３Ｄ表示とするか、トップ・アンド・ボトム方式にもとづく３Ｄ表示とするか、を自動的に切り替える。なお、映像再生装置１のＣＰＵ１９は、表示装置２が３Ｄ表示対応か否か、あるいはＶＳＩに対応しているか否か、について、表示装置２のＨＤＭＩ能力のステータスを読み取ることで判別することが可能である。具体的には、ＣＰＵ１９は、ＨＤＭＩ出力部１８を介して入力される再生装置２のＨＤＭＩのバージョンおよび３Ｄ対応情報を読み取ることにより、表示装置２が３Ｄ表示対応か否か、あるいはＶＳＩに対応しているか否か、について、判別する。
【００４６】
リモコン信号受信部２１は、（図示しない）リモコンからの信号を受信し、ＣＰＵ１９８へ通知する。
【００４７】
ＣＰＵ１９は、以上説明した各構成要素を含んだ装置全体を制御する。また、ＣＰＵ１９は、リモコン信号受信部２１にて受信したリモコン信号に基づいて、ユーザ（観察者）の再生装置１に対する操作内容を取得して、動作することができる。
【００４８】
以上のように構成した本実施の形態において、実際のユースケースに対応して、放送フラグ情報の検出から、ＯＳＤの重畳や、ＶＳＩフラグの重畳を行ってＨＤＭＩ信号を出力するまでの処理を、図３、図４を参照して具体的に説明する。
【００４９】
なお、以下では、ＳＢＳ方式の３Ｄ放送（ＳＢＳ方式の３Ｄ映像）について説明しているが、トップ・アンド・ボトム方式でも同様に実施可能である。また、以下の説明では、再生装置１のＣＰＵ１９は、表示装置２が、ＶＳＩ対応の３Ｄ表示装置である場合（Ｒ１）と、ＶＳＩ非対応の表示装置である場合（Ｒ２）とで、コンテンツ映像にＯＳＤを重畳する際の重畳様式と、ＨＤＭＩ信号へのＶＳＩフラグの重畳／非重畳を可変的に制御する。ここで、ＶＳＩ対応の３Ｄ表示装置とは、例えば、ＨＤＭＩのバージョン１．４ａの３Ｄに対応した表示装置である。ＶＳＩ非対応の表示装置とは、例えば、ＨＤＭＩのバージョン１．４a未満（１．４以下）の３Ｄ表示装置、ＨＤＭＩのバージョン１．４以上であるが３Ｄ非対応の表示装置、ＨＤＭＩのバージョン１．３以下にのみ対応した表示装置である。ここで、ＨＤＭＩ１．４ａ以上とは、ＨＤＭＩ１．４ａやバージョンの数値が１．４より大きいものを示す。
【００５０】
また、再生装置１のＣＰＵ１９は、放送受信または再生ストリーム中に放送フラグ情報が含まれている場合と、含まれていない場合（２Ｄを明示する放送フラグ情報が含まれている場合を含む）と、ＯＳＤの重畳様式を変更するようにＯＳＤ作成部２０およびＯＳＤ合成部１７を制御する。また、本実施の形態による再生装置１においては、コンテンツ映像が２Ｄ映像であるかＳＢＳ方式の３Ｄ映像であるかを検知して自動的にＯＳＤの重畳様式を切り替えることができ、または、ユーザが強制的にＯＳＤの重畳様式を再生装置１に対して設定する（設定を入り（常時ＳＢＳ様式）にする場合と切り（常時通常様式）にする場合を含む。）ことも可能である。
【００５１】
以下、図３を参照し、処理の流れについて説明する。
【００５２】
再生装置１のＣＰＵ１９は、ＯＳＤ設定の設定値が、「オート」か、「入」か、「切」か、であるかを判定する（Ｓ１）。ＯＳＤ設定値が「オート」であれば、処理はステップＳ２へ進み、ＯＳＤ設定値が「入」であれば、処理はステップＳ３へ進み、ＯＳＤ設定値が「切」であれば、処理はステップＳ４へ進む。
【００５３】
ＯＳＤ設定値が「オート」の場合、ＣＰＵ１９は、デコーダ部１６と協働して、ストリーム信号（の例えばＳＥＩ）に３Ｄを示す放送フラグ情報があるかどうか、を判断する（Ｓ２）。３Ｄを示す放送フラグ情報が検出されると、処理はステップＳ３へ進む。３Ｄを示す放送フラグ情報が検出されなければ、処理はステップＳ４へ進む。
【００５４】
ＣＰＵ１９は、ＯＳＤ設定値が「入」の場合、および、ＯＳＤ設定値が「オート」であって３Ｄを示す放送フラグ情報が検出された場合、ＯＳＤ作成部２０に対し、ＳＢＳ様式でＯＳＤ映像を作成することを指示し、ＯＳＤ合成部１７に対し、ＳＢＳ様式でＯＳＤ映像をコンテンツ映像に重畳することを指示する（Ｓ３）。
【００５５】
さらに、ＣＰＵ１９は、ＨＤＭＩ出力部１８に接続されている表示装置２が、ＨＤＭＩＶｅｒ．１．４ａの３Ｄに対応した３Ｄ表示装置であるかどうか、を判定する（Ｓ５）。表示装置２が、ＨＤＭＩＶｅｒ．１．４ａの３Ｄに対応した３Ｄ表示装置である場合、ＣＰＵ１９は、ＨＤＭＩ出力部１８に指示して、出力映像がＳＢＳ方式の３Ｄ映像であることを示すＶＳＩフラグをＨＤＭＩ信号に挿入させる（Ｓ６）。
【００５６】
処理がステップＳ４へ進んだ場合、つまり、ＯＳＤ設定値が「切」の場合、および、ＯＳＤ設定値が「オート」であって３Ｄを示す放送フラグ情報が検出されなかった場合、ＣＰＵ１９は、ＯＳＤ作成部２０に対し、通常様式でＯＳＤ映像を作成することを指示し、ＯＳＤ合成部１７に対し、通常様式でＯＳＤ映像をコンテンツ映像に重畳することを指示する（Ｓ４）。
【００５７】
図４は、ＣＰＵ１９によるＯＳＤに関する制御内容を、諸条件で場合分けしてまとめた表である。ここでの諸条件は、
１．表示装置２が、ＶＳＩ対応の３Ｄ表示装置であるか（Ｒ１）否（Ｒ２）かに関する条件（Ｃ１）と、
２．放送受信または再生ストリーム中に放送フラグ情報が含まれているか否か（２Ｄを明示する放送フラグ情報が含まれている場合を含む）に関する条件（Ｃ２）と、
３．設定されたＯＳＤ表示設定が、コンテンツ映像が２Ｄ映像であるかＳＢＳ方式の３Ｄ映像であるかを検知して自動的にＯＳＤの重畳様式を切り替える設定（「オート」、Ｃ３）か、常時ＳＢＳ様式（Ｃ４）か、常時通常様式（Ｃ５）かに関する条件（Ｒ０）と、
を含む。
【００５８】
再生装置１に設定可能なＯＳＤ表示設定の値（Ｒ０）には、「オート」（Ｃ３）、「入」（Ｃ４）、「切」（Ｃ５）がある。「オート」（Ｃ３）が設定された場合には、再生装置１は、放送フラグ情報の内容に従ってＯＳＤの重畳様式を自動的に切り換える。このとき、ＨＤＭＩ信号にＶＳＩフラグを挿入するか否かについては、表示装置２が対応するＨＤＭＩのバージョン等（Ｃ１）に応じて自動的に切り換える。
【００５９】
「入」が設定された場合（Ｃ４）には、再生装置１は、放送フラグ情報の有無（Ｃ２）やその内容に関わらず、常時、ＳＢＳ様式でＯＳＤ映像をコンテンツ映像に重畳して出力映像を生成する。このときも、ＨＤＭＩ信号にＶＳＩフラグを挿入するか否かについては、表示装置２が対応するＨＤＭＩのバージョン等（Ｃ１）に応じて自動的に切り換える。
【００６０】
「切」が設定された場合（Ｃ５）には、再生装置１は、常時、従来の２Ｄ放送時と同等の処理を実施する（通常様式でＯＳＤ映像をコンテンツ映像に重畳して出力映像を生成する）。
【００６１】
設定値が「オート」の場合（Ｃ３）において、放送フラグ情報が３Ｄであると検出した場合（Ｃ２）には、表示装置２がＶＳＩに対応しているならば（ＨＤＭＩのバージョン１．４ａの３Ｄ表示装置ならば）（Ｒ１）、再生装置１は、ＨＤＭＩ信号にＶＳＩフラグを重畳する。放送フラグ情報が無いかまたは３Ｄで無いと判断された場合（Ｃ２）には、再生装置１は、ＶＳＩフラグをＨＤＭＩ信号に重畳しない。
【００６２】
ＶＳＩフラグの重畳により、表示装置２の表示モードを、放送の内容が２Ｄ放送か３Ｄ放送かに応じて自動的に２Ｄ表示または３Ｄ表示に、再生装置１側で切り替えることが可能になる。また、ＶＳＩを重畳する場合は、再生装置１は、ＯＳＤをＳＢＳ様式で重畳する。これにより表示装置２が３Ｄ表示を行っても、ＯＳＤの視認性が損なわれることはない。逆にＶＳＩを重畳しない場合は、再生装置１は、ＯＳＤを通常様式で重畳する。このとき、表示装置２は、２Ｄ表示を行う。そのため、ＯＳＤの視認性が損なわれることはない。
【００６３】
次に、「オート」が設定され（Ｃ３）ており、表示装置２がＶＳＩに対応していない場合（表示装置２が、ＨＤＭＩのバージョン１．４以下のみに対応するか、または１．４ａ以上に対応するが３Ｄ非対応の場合）（Ｒ２）、再生装置１は、表示装置２がＶＳＩに対応していないので、ＨＤＭＩ信号にＶＳＩフラグを重畳しない。一方、ＯＳＤの重畳様式については、放送フラグ情報が３Ｄであると検出した場合（Ｃ２）は、再生装置１は、ＳＢＳ様式でＯＳＤ映像をコンテンツ映像に重畳して出力映像を生成し出力する。
【００６４】
このときにＳＢＳ様式でＯＳＤ映像を重畳させる理由は、表示装置２がＶＳＩに対応していないが３Ｄ表示可能であることが考えられるためである。
【００６５】
この場合、再生装置１は、表示装置２を自動的に３Ｄ表示に切り替えさせることはできないが、ユーザが操作により、表示装置２の設定を変更して３Ｄ表示に切りかえることは可能である。再生装置１が、ＯＳＤ映像をＳＢＳ様式でコンテンツ映像に重畳しておくことで、ユーザが操作して表示装置２の表示モードを２Ｄ表示としても、３Ｄ表示としても、ＯＳＤの視認性は、充分に保たれる。
【００６６】
また、表示装置２が対応するＨＤＭＩのバージョンが１．３以下の場合（Ｒ２）、表示装置２は、３Ｄに対応していないと考えられる。しかしながら、映像再生表示システムの接続形態により、再生装置１が表示装置２の情報を正しく認識していない場合もありうる。例えば、再生装置１と表示装置２とのＨＤＭＩ接続の間に、ＡＶアンプ等の機器が介在し、該ＡＶアンプのＨＤＭＩバージョンが１．３以下であると、再生装置１は、接続された機器が対応するＨＤＭＩバージョンを１．３以下であると認識する。このような場合には、表示装置２がＨＤＭＩバージョン１．４ａつまりＶＳＩに対応していても、ＶＳＩ時ラグの情報が表示装置２に通知されないことが考えられる。しかしながらＯＳＤ映像の重畳様式は、ＳＢＳ様式に設定されるため、ユーザ操作により表示装置２の表示モードを手動で３Ｄ表示に切り換えれば、３Ｄ表示も可能である。このような場合であっても、ＯＳＤは、充分な視認性が保たれる。表示装置２が、２Ｄ表示のみ可能な表示装置であっても、ＳＢＳ様式で重畳されたＯＳＤの内容は、十分に理解可能だからである。当然のことながら、このような場合には、ＯＳＤの重畳様式を通常様式にすることも可能である。
【００６７】
他方、放送フラグ情報が無いかもしくは３Ｄでないとした場合（Ｃ２）は、ＯＳＤ映像の重畳様式は、は通常様式とする。
【００６８】
次に、「入」が設定されている場合（Ｃ４）、再生装置１は、放送フラグ情報や表示装置が対応可能なＨＤＭＩのバージョン等に関係なく、ＯＳＤの重畳様式をＳＢＳ様式として、動作する。
【００６９】
この設定は、放送または再生ストリームに放送フラグ情報が挿入されていないが、しかし、ユーザが映像をみると明らかにＳＢＳ方式の３Ｄ映像であると判断できる（すなわち３Ｄ放送であるが、３Ｄを示す放送フラグ情報が挿入されていない場合）ときに、強制的に、３Ｄ放送として扱うためのＯＳＤ表示設定モードである。
【００７０】
このとき、再生装置１は、表示装置２がＶＳＩに対応している場合（表示装置２がＨＤＭＩのバージョン１．４ａの３Ｄ表示装置である場合）（Ｒ１）、ＶＳＩフラグをＨＤＭＩ信号に重畳する。また、ＯＳＤ映像の重畳は、ＳＢＳ様式で行われる。
【００７１】
逆に、再生装置１は、表示装置２がＶＳＩに対応していない場合（ＨＤＭＩのバージョン１．４以下であるか、または１．４ａ以上であるが３Ｄ非対応の表示装置）（Ｒ２）、表示装置２がＶＳＩに対応していないのでＶＳＩフラグをＨＤＭＩ信号に重畳しない。ただし、ＯＳＤ映像の重畳は、ＳＢＳ様式で行われる。
【００７２】
以上のようにすることで、３Ｄ放送時に３Ｄを示す放送フラグ情報が放送波等に重畳されていない場合でも、再生装置１は、ユーザ設定にもとづき、強制的にＯＳＤ映像をＳＢＳ様式でコンテンツ映像に重畳して出力映像を生成する。ＯＳＤ映像の重畳様式は、ＳＢＳ様式に設定されるため、ユーザ操作により表示装置２の表示モードが手動で３Ｄ表示に切り換えられても、ＯＳＤの視認性は、充分に保たれる。
【００７３】
最後に、「切」が設定されている場合（Ｃ５）、再生装置１は、従来と同様に、ＯＳＤ映像を通常様式でコンテンツ映像に重畳する。また、再生装置１は、ＶＳＩフラグをＨＤＭＩ信号に重畳しない。
【００７４】
以上説明したように実施の形態１によれば、再生装置１は、映像ソースから送られるストリーム信号中のフラグ情報を検出し、表示装置２のＨＤＭＩのバージョンや３Ｄ表示可否の情報を読み取り、それらに応じてＯＳＤ映像の重畳様式や、ＶＳＩフラグの重畳／非重畳を切り替える。そうすることにより、表示装置２において、ＯＳＤは、常時視認性を高く保って正しく表示される。また、再生装置１は、ＶＳＩフラグを用いて、表示装置２の映像表示のモードを自動的に切り換えさせることも可能になる。なお、実施の形態１では、ＶＳＩを用いてフラグ情報を重畳し、表示装置２の２Ｄ／３Ｄ表示を切り替えることを説明したが、これ以外の方法で表示装置２の表示モードを２Ｄ／３Ｄで切り換えてもよい。別の方法としては、ＣＥＣ（ＣＯＮＳＵＭＥＲ  ＥＬＥＣＴＲＯＮＩＣＳ  ＣＯＮＴＲＯＬ）やＬＡＮ（Ｌｏｃａｌ  ａｒｅａ  ｎｅｔｗｏｒｋ）を用いてもよい。
【００７５】
なお、実施の形態１では、ＶＳＩフラグをＨＤＭＩ信号に重畳することにより、表示装置２の映像表示モードを３Ｄ表示に切り替えることを説明したが、表示装置２の表示画面の内容（コンテンツ映像の内容）によっては、ＶＳＩフラグを重畳せずに、表示装置２の表示モードを２Ｄ表示のままにするようにしてもよい。例えば、視聴や再生中に初期設定画面を表示したり、あるいはデータ放送画面に切り換えたり、番組表を表示したり、録画一覧を表示したり、といった場合には、ＶＳＩフラグを重畳しなくともよい。つまり、表示装置２の表示面の全面を用いて映像表示を行わない場合には、表示装置２の表示モードを積極的に３Ｄ表示に切り換える必要はないので、再生装置１は、ＶＳＩフラグをＨＤＭＩ信号に重畳せずに、表示装置２を２Ｄ表示のままにする。そのとき表示される画面における重畳映像については、通常様式でコンテンツ映像に重畳されるものとする。
【００７６】
なお、実施の形態１では、再生時に放送フラグ情報を検出し、ＶＳＩフラグの重畳／非重畳や、ＯＳＤ映像の重畳様式を可変的に制御することを説明した。しかしながら、例えば、放送録画時に放送フラグ情報を検出し、その放送フラグ情報を保持し、録画終了後に管理情報として放送フラグ情報を記録してもよい。そうすることで、録画された番組の一覧表示時では、たとえば録画された放送が、３Ｄ放送であるか否かを判定し、３Ｄ放送である場合には、一覧表示において当該放送が３Ｄ放送であることを示すアイコンなどを表示してもよい。そのようにして３Ｄアイコンが表示されている番組が選択され再生される場合は、再生装置１は、仮に、再生ストリームの先頭に３Ｄを示す放送フラグ情報が重畳されていない場合であっても、最初からＶＳＩフラグをＨＤＭＩ信号に重畳し、ＯＳＤ映像をＳＢＳ方式でコンテンツ映像に重畳して出力してもよい。このようにすることで、１つの録画放送（番組）中で２Ｄ映像と３Ｄ映像とが混在するような場合でも、表示装置２が、その映像表示モードを２Ｄ表示と３Ｄ表示との間で切り換えることを防ぐことができる。ただし、そのような場合、映像表示において録画放送（番組）中の２Ｄ映像の区間の表示がくずれて見苦しい表示となる場合があり得るので、例えば、放送フラグ情報が切り替わるストリーム位置情報をチャプター情報として管理情報の領域に記録しておき、３Ｄ再生時は、２Ｄ区間になった場合、チャプタースキップを実施し、２Ｄ映像の区間をスキップしながら再生してもよい。なお、チャプタースキップは再生機器１が、自動で実施してもよいし、ユーザが任意で手動的に再生装置１に対し実施を指示してもよい。
【００７７】
なお、３Ｄアイコンを表示した番組と通常の２Ｄ番組とを編集で番組同士を結合した場合、上記の録画された番組の一覧表示では、結合され１つになった番組を３Ｄ番組として扱ってよい。
【００７８】
（実施の形態２）
つぎに実施の形態２による再生装置の動作について、図５を参照して説明する。実施の形態２による再生装置は、実施の形態１による再生装置１と同等の構成を有せばよい。ただし、実施の形態２による再生装置は、ＯＳＤ表示設定の設定値が「入」に設定されている場合における動作に特徴を有する。具体的には、実施の形態２による再生装置では、当該「入」設定が有効な期間の終期を、再生装置が自動的に決定する。そうして、再生装置は、決定した終期になると、当該「入」設定を自動的に解除する。
【００７９】
図５は、本再生装置の処理の流れを示すフローチャートである。
【００８０】
先ず、ＯＳＤ表示設定の設定値は、「切」であるとする。
【００８１】
本再生装置は、コンテンツ（放送中の番組、録画された番組、光ディスク等記録媒体により流通されるコンテンツ等）の再生を開始する（Ｓ１１）。このときＯＳＤ表示設定は「切」に設定されているから、ＯＳＤ映像の重畳様式は通常様式であり、ＶＳＩフラグの重畳も行われない。
【００８２】
次に、再生装置１は、ユーザが、ＯＳＤ表示設定を「入」に切り換えたか否かを判定する（Ｓ１２）。切り換えたと判定した場合（ステップＳ１２における「ＹＥＳ」）には、処理は、ステップＳ１４へ進む。
【００８３】
その場合、再生装置１は、ＯＳＤ映像の重畳様式をＳＢＳ様式に変更してコンテンツ映像への重畳を行う（Ｓ１４）。表示装置２がＶＳＩに対応している場合（ＨＤＭＩのバージョン１．４ａ対応の３Ｄ表示装置である場合）、再生装置１は、ＶＳＩフラグの重畳を開始する。
【００８４】
再生装置１は、コンテンツコンテンツ（番組）の再生が終了したか否か判定する（Ｓ１５）。再生装置１が、コンテンツの再生が終了したと判定した場合（ステップＳ１５における「ＹＥＳ」）には、ＯＳＤ映像の重畳様式をＳＢＳ様式から通常様式へ切り換える（Ｓ１６）。また、再生装置１は、ＨＤＭＩ信号にＶＳＩフラグを重畳していた場合には、ＶＳＩフラグの重畳を停止する。
【００８５】
このようにして、実施の形態２による再生装置は、１つのコンテンツの再生が完了した時点で、ＯＳＤ映像のＳＢＳ様式による重畳やＶＳＩフラグの重畳を停止する。そうすることで、常時、表示装置がＯＳＤ等をＳＢＳ様式で重畳してしまうことを防止する。この理由としては、先ず、再生されるあらゆる３Ｄコンテンツ（番組）が、３Ｄを示す放送フラグ情報を含まないことは稀であるからである。むしろ、ユーザがＯＳＤ表示設定を「入」に設定するのは、そのときに再生しようとする３Ｄコンテンツ（番組）に対する設定であると考えられる。そのため、コンテンツの再生が完了した時点で、ＯＳＤ表示設定を「入」から「オート」または「切」に切り換えることで、ユーザの手間を省く効果が期待できる。第２の理由としては、３Ｄを複数番組を連続して視聴することによる眼精疲労を回避するように観察者を誘導することが挙げられる。なお、コンテンツの単位とは、通常は番組単位で、それは、録画開始から録画終了までの部分を示す。例えば番組表を用いて予約録画が設定される場合には、番組表で表示される１つの番組単位が、１つのコンテンツとなる。もし、つぎのコンテンツも３Ｄで見たい場合は、ユーザが再び設定値を「入」にする。
【００８６】
なお、実施の形態２でも、３Ｄ映像は、ＳＢＳ方式の３Ｄ映像に限定されない。３Ｄ映像には、トップ・アンド・ボトム方式の３Ｄ映像も含んでよい。
【００８７】
（実施の形態３）
つぎに実施の形態３による再生装置の動作について、図６を参照して説明する。実施の形態３による再生装置１ａは、実施の形態１による再生装置１と実質同等の構成を有せばよい。ただし、実施の形態３による再生装置１ａは、表示装置２ａとの接続の形態が異なる。再生装置１ａと表示装置２ａとは、ＨＤＭＩではなく、ＬＡＮで接続される。つまり、図６においては、３Ｄ映像再生表示システムは、ＤＬＮＡ（Ｄｉｇｉｔａｌ  Ｌｉｖｉｎｇ  Ｎｅｔｗｏｒｋ  Ａｌｌｉａｎｃｅ）に基づいて構成される。また、以下の説明では、重畳映像は、リモートＵＩに関する映像である。
【００８８】
再生装置１ａはＤＬＮＡのサーバであり、表示装置２ａはＤＬＮＡのクライアントもしくはレンダラである。
【００８９】
再生装置１ａは記憶部を構成するディスク（ハードディスクまたは光ディスク、フラッシュメモリなど）に記録されているストリームを、ＬＡＮ４ａを介して表示装置２ａへ送る。
【００９０】
表示装置２ａは、入力されるストリームをデコードし、表示する。
【００９１】
表示装置２ａは、ストリーム中にある放送フラグ情報を検出する。検出した放送フラグ情報の内容がＳＢＳ方式３Ｄ映像を示した場合には、表示装置２ａは、映像表示モードを３Ｄ表示に切り替える。
【００９２】
このとき、表示装置２ａにおいて、ローカルにＯＳＤを生成して表示している場合には、ＯＳＤ表示も３Ｄ表示に適合させるため、左映像と右映像とに各々描画して（つまり、ＳＢＳ様式等で）出力する。
【００９３】
例えば、再生装置１のメタデータ生成部がメタデータ（ＸＭＬやＨＴＭＬなど）を生成して、当該メタデータを表示装置２ａへ送り、表示装置２ａがメタデータに基づいて表示画面（リモートＵＩ等の重畳映像）を生成して表示する場合には、再生装置１ａは、自身が出力中のストリームの放送フラグ情報を検出し、検出した放送フラグ情報がＳＢＳ方式の３Ｄ映像であることを示していると、上記のメタ情報の内容を、ＳＢＳ様式で生成しなおし、表示装置２ａへ再送信する。これにより、再生装置１ａ側からメタ情報によって送信される表示画面（リモートＵＩ）についても、３Ｄ表示において正しく表示され、３Ｄで見ることが可能になる。
【００９４】
以上のように、実施の形態３では、リモートＵＩを３Ｄ表示する場合、再生装置１ａが出力するメタ情報をＳＢＳ様式で生成しなおすことで、表示装置２ａの３Ｄ表示においてもリモートＵＩを正常に表示させることができる。なお、再生装置１ａがメタ情報をＳＢＳ様式で再生成する代わりに、表示装置２ａが、リモートＵＩの映像を、ＳＢＳ様式で再描画して表示してもよい。
【００９５】
なお、実施の形態３でも、３Ｄ映像は、ＳＢＳ方式の３Ｄ映像に限定されない。３Ｄ映像には、トップ・アンド・ボトム方式の３Ｄ映像も含んでよい。
【００９６】
（実施の形態４）
つぎに実施の形態４による再生装置の動作について、図７を参照して説明する。実施の形態４による再生装置は、実施の形態１による再生装置１と同等の構成を有せばよい。ただし、実施の形態４による再生装置は、接続された表示装置の映像表示モードに基づいて、重畳映像の重畳様式を可変的に制御する。図７は、本実施の形態による再生装置の動作を示すフローチャートである。
【００９７】
実施の形態４による再生装置は、表示装置２がアンテナ等から放送波を直接入力して放送を表示している際に、表示装置２と再生装置１との間でのリンク機能をつかって放送番組の視聴の一時停止（再生装置１による録画およびその追っかけ再生）を行うような場合に、以下のようにして動作する。
【００９８】
視聴の一時停止機能では、表示装置２が放送番組を視聴中に表示装置２に対する操作（再生装置１に対する操作でもよい）により、一時停止の指示を受けると、ＨＤＭＩのＣＥＣを用いて、再生装置１へ当該番組の視聴の一時停止を通知するメッセージが送信される。当該メッセージを受信した再生装置１は、自身のチューナ１２を表示装置２が選局している放送局と一致させ、当該放送局から送られる番組の録画を開始する。それと同時に、表示装置２の表示画面には、「一時停止中です」などのメッセージが表示される。このとき、表示装置２は、表示装置２のアンテナ等からの直接入力による表示を、ＨＤＭＩの入力画面、すなわち再生装置１の出力による表示に切り替える。これにより、表示装置２の表示画面は再生装置１の出力を表示する。
【００９９】
例えば、表示装置２で３Ｄ放送を受信中（すなわち放送フラグ情報がＳＢＳ方式の３Ｄ映像を示す場合）でかつ、この放送を強制的に２Ｄ表示している場合、視聴の一時停止操作が実施されることで、表示装置２は、入力を再生装置１の出力に切り替える。再生装置１の出力は、実施の形態１によれば、ＯＳＤ表示設定が「オート」であれば、再生装置１が受信する放送フラグ情報はＳＢＳ方式の３Ｄ映像を示しているために、表示装置２がＶＳＩに対応したＨＤＭＩのバージョンが１．４ａ対応である場合に、ＶＳＩフラグをＨＤＭＩ信号に重畳し、ＳＢＳ様式でＯＳＤ映像をＳＢＳ方式の３Ｄ映像であるコンテンツ映像に重畳して出力してしまう。すると、一時停止を行う直前では表示装置２は２Ｄ表示であったのにもかかわらず、一時停止後は３Ｄ表示に切り替わってしまう。
【０１００】
そこで、実施の形態４による再生装置は、上記のような映像表示モードの自動的な切り替わりを回避するため、表示装置２は、再生装置１に一時停止を通知する場合に、２Ｄ表示中なのか、３Ｄ表示中なのかを示す情報もあわせて通知する（ＣＥＣで通知する）。当該通知にもとづき、再生装置１は、表示装置２から送られた一時停止の通知により、表示装置２の現在の映像表示モードに関する情報を取得し、当該情報にもとづいて、表示装置２へ出力する映像をＳＢＳ方式の３Ｄ映像とするか、２Ｄ映像とするかを決定する。仮に、再生装置１が、一時停止の通知により表示装置２が現在２Ｄ表示であることを認識すると、一時停止の解除後は、出力映像を２Ｄで出力する。つまり、再生装置１は、ＨＤＭＩ信号にＶＳＩフラグを重畳せず、ＯＳＤも通常様式でコンテンツ映像に重畳して、映像出力を行う。逆に、再生装置１が、一時停止の通知により表示装置２が現在３Ｄ表示であることを認識すると、ＨＤＭＩ信号にＶＳＩフラグを重畳し、ＯＳＤをＳＢＳ様式でコンテンツ映像に重畳して、映像出力を行う。
【０１０１】
つぎに上記とは逆に、放送フラグ情報が無いかまたは２Ｄを示す場合に、表示装置２に強制的に３Ｄ表示（ＳＢＳ方式の３Ｄ映像として処理して表示）させて番組を視聴している際に一時停止した場合は、実施の形態１によれば、ＯＳＤ表示設定が「オート」であれば、再生装置１が受信する放送フラグ情報が３Ｄを示していないために、ＶＳＩフラグをＨＤＭＩ信号に重畳せず、通常様式でＯＳＤ映像をコンテンツ映像に重畳して出力してしまう。すると、一時停止を行う直前では表示装置２は３Ｄ表示であったのにもかかわらず、一時停止後は２Ｄ表示に切り替わってしまう。
【０１０２】
そこで同様に、実施の形態４による再生装置は、上記のような映像表示モードの自動的な切り替わりを回避するため、表示装置２は、再生装置１に一時停止を通知する場合に、２Ｄ表示中なのか、３Ｄ表示中なのかを示す情報もあわせて通知する（ＣＥＣで通知する）。当該通知にもとづき、再生装置１は、表示装置２から送られた一時停止の通知により、表示装置２の現在の映像表示モードに関する情報を取得し、当該情報にもとづいて、表示装置２へ出力する映像をＳＢＳ方式の３Ｄ映像とするか、２Ｄ映像とするかを決定する。仮に、再生装置１が、一時停止の通知により表示装置２が現在３Ｄ表示であることを認識すると、一時停止の解除後は、出力映像を３Ｄで出力する。つまり、再生装置１は、（表示装置２がＶＳＩ対応の場合に）ＨＤＭＩ信号にＶＳＩフラグを重畳し、ＯＳＤ映像をＳＢＳ様式でコンテンツ映像に重畳して、映像出力を行う。よって本実施の形態では、一時停止の前後における表示装置２の映像表示モードの自動的な切り替わりを回避することができる。
【０１０３】
図７を参照し、本実施の形態による再生装置１によるＯＳＤ映像の重畳様式の制御について整理する。
【０１０４】
再生装置１は、一時停止が解除されると、コンテンツ（録画された放送）の再生を開始する（Ｓ２１）。
【０１０５】
再生装置１は、一時停止の通知と併せて表示装置２が３Ｄ表示中か２Ｄ表示中かを示す情報を受け取ったか否かを判断する（Ｓ２２）。
【０１０６】
再生装置１は、３Ｄ表示中か２Ｄ表示中かを示す情報を受け取った場合、３Ｄ表示中か否かを判断する（Ｓ２３）。
【０１０７】
表示装置２が３Ｄ表示中であれば、再生装置１は、ＯＳＤ映像をＳＢＳ様式でコンテンツ映像に重畳して出力する（Ｓ２４）。
【０１０８】
表示装置２が２Ｄ表示中であれば、再生装置１は、ＯＳＤ映像を通常様式でコンテンツ映像に重畳して出力する（Ｓ２５）。
【０１０９】
以上、実施の形態４で説明したように、表示装置２が再生装置１に対して一時停止機能を実施する場合は、同時に表示装置２の映像表示モードが２Ｄ表示であるか、またはＳＢＳ方式の３Ｄ表示であるかも通知することで、一時停止前と一時停止後での表示状態を同じにすることができ、違和感無く視聴することができる。なお、実施の形態４ではＳＢＳ方式の３Ｄについて説明したが、これに限らず例えば、トップ・アンド・ボトム方式の３Ｄであってもよい。
【０１１０】
また、本実施の形態において、表示装置２に対する操作で再生装置１を操作するための操作画面を出す機能がある（いわゆる表示装置２のリモコンによるリンク機能）が、これにも利用可能である。この機能は表示装置２のリモコンで、再生装置１の操作画面を出すためのボタン（例えばリンクボタン）を押すと、このボタンが押されたことを示す情報がＨＤＭＩのＣＥＣ経由で再生装置１に送信され、再生装置１が、操作画面を出力する仕組みになっている。
【０１１１】
前記操作画面の操作は、表示装置２のリモコンの特定のボタン（例えばカーソルボタンなど）が押されたという情報を逐次ＣＥＣ経由で再生装置１へ送信することで実現でき、表示装置２のリモコンを使って、再生装置１を実質的に操作できる。
【０１１２】
このとき、例えば、再生装置１の出力を、表示装置２に対する操作によりＳＢＳ方式の３Ｄ映像として表示させている場合、表示装置２のリモコンのリンクボタンを押した場合は、従来は、再生装置１は、表示装置２が３Ｄ表示を行っていることを認識できなかったため、操作画面を２Ｄ映像として出力してしまう。そのため、操作画面が正しく表示されない、という問題があった。しかしながら本実施の形態では、表示装置２のリンクボタンを押した場合に、そのボタンが押された情報とともに、表示装置２の現在の映像表示モードが３Ｄ表示であるか２Ｄ表示であるかを示す情報も通知することができ、再生装置１は、操作画面を２Ｄ映像ではなく、ＳＢＳ方式の３Ｄ映像として出力することができ、操作画面を正しく表示させることができる。
【０１１３】
逆に、再生装置１が３Ｄ映像を出力中に、表示装置２が２Ｄ表示を行っている場合でも、表示装置２から再生装置１へ２Ｄ表示中であることを通知することができ、再生装置１は操作画面を２Ｄ映像として出力することで当該操作画面を正しく表示させることができる。以上のように、本実施の形態は、表示装置２が再生装置１に対してリンク機能を実施する場合でも利用可能である。
【０１１４】
また、本実施の形態においては、出力部としてＨＤＭＩ出力部１８を用いたがこれに限られるものではない。即ち、３Ｄ方式の映像信号を出力できる出力部であれば、本実施の形態を実施することができる。
【０１１５】
また、本実施の形態の再生装置１は、光ディスクを再生する再生装置であるがこれに限られるものではなく、３Ｄ映像を出力できる装置であればよい。即ち、ＨＤＤやフラッシュメモリなど他の記録媒体に記録された３Ｄ映像データをデコードして出力する装置であっても良いし、３Ｄに対応した放送を受信して出力する装置であってもよい。
【０１１６】
（変形例）
なお、実施の形態１〜４においては、再生装置は、出力する映像がＳＢＳ方式またはトップ・アンド・ボトム方式の３Ｄ映像である場合、その映像を立体表示させたときに左目映像に重畳されたＯＳＤ映像と右目映像に重畳されたＯＳＤ映像とが一致するように、スクリーン画面（コンテンツ映像）の左目映像領域および右目映像領域それぞれにＯＳＤ映像を重畳した。しかし、以下に示す場合においては一致するように重畳することなく、２Ｄ映像と同様に（通常様式で）スクリーン画面全体にＯＳＤ映像を重畳してもよい。その場合とは、例えば、録画一覧画面や番組表をＯＳＤ映像として画面全面を使って表示し、その一部に小窓としてコンテンツ映像を表示させるような場合である。このような場合、表示装置２は、３Ｄ表示ではなく、２Ｄ表示で表示することが多い。したがって、コンテンツ映像がＳＢＳ方式またはトップ・アンド・ボトム方式の３Ｄ映像である場合であっても、ＯＳＤ映像を２Ｄと同様に（通常様式で）スクリーン画面の全体に重畳して出力する。
【産業上の利用可能性】
【０１１７】
本実施の形態による再生装置は、３Ｄ映像を再生することができる映像再生装置として有用である。
【符号の説明】
【０１１８】
１  ・・・  再生装置
１ａ・・・  再生装置（ＤＬＮＡサーバ）
２  ・・・  表示装置
２ａ・・・  表示装置（ＤＬＮＡクライアント（レンダラ））
３  ・・・  ３Ｄメガネ
４  ・・・  ＨＤＭＩ伝送路
４ａ・・・  ＬＡＮ
５  ・・・  無線伝送路
１１  ・・・  映像ソース部
１２  ・・・  チューナ部
１３  ・・・  アンテナ
１４  ・・・  光ディスクドライブ
１５  ・・・  光ディスク
１６  ・・・  デコーダ部
１７  ・・・  ＯＳＤ合成部
１８  ・・・  ＨＤＭＩ出力部
１９  ・・・  ＣＰＵ
２０  ・・・  ＯＳＤ作成部
２１  ・・・  リモコン信号受信部
【手続補正２】
【補正対象書類名】特許請求の範囲
【補正対象項目名】全文
【補正方法】変更
【補正の内容】
【特許請求の範囲】
【請求項１】
入力されるストリームデータをデコードしてコンテンツ映像を生成するデコーダ部と、
前記コンテンツ映像に重畳するための重畳映像を作成する作成部と、
前記重畳映像を前記コンテンツ映像に重畳して出力映像を生成する合成部と、
前記出力映像を出力する出力部と、
前記作成部および前記合成部を制御する制御部と、を有し、
前記制御部は、前記ストリームデータに基づいて前記コンテンツ映像が２Ｄ映像であるか、左目用画像の領域と右目用画像の領域とを含んだサイド・バイ・サイド形式の３Ｄ映像であるかを判断し、
前記合成部は、前記コンテンツ映像が２Ｄ映像である場合には、前記コンテンツ映像内の特定部分に前記重畳映像を重畳し、前記コンテンツ映像が前記サイド・バイ・サイド形式の３Ｄ映像である場合には、前記コンテンツ映像内の前記左目用画像の領域のうち、前記２Ｄ映像の前記特定部分に対応する部分と、前記コンテンツ映像内の前記右目用画像の領域のうち、前記２Ｄ映像の前記特定部分に対応する部分と、に前記重畳映像を重畳する、映像再生装置。
【請求項２】
前記合成部は、前記第２の様式においては、前記コンテンツ映像の左目映像領域および右目映像領域の互いに対応する位置それぞれに、前記重畳映像を重畳する、請求項１に記載の映像再生装置。
【請求項３】
さらに、ユーザの指示を受け付ける受付部を有し、
前記制御部は、前記受付部を介して所定の指示を前記ユーザから受け付けた場合には、前記コンテンツ映像が２Ｄ映像であるか３Ｄ映像であるかに関わらず、前記合成部に前記第２の様式で前記重畳映像を前記コンテンツ映像に重畳させる、請求項２に記載の映像再生装置。
【請求項４】
前記制御部は、前記所定の指示の有効期間の終期を前記所定の指示を受けた時に再生中のコンテンツの再生完了時に設定する、請求項３に記載の映像再生装置。
【請求項５】
前記制御部は、前記終期を経過した後は、前記合成部に前記コンテンツ映像が２Ｄ映像であるか３Ｄ映像であるかに関わらずに前記第２の様式で前記重畳映像を前記コンテンツ映像に重畳させる指示を行わない、請求項４に記載の映像再生装置。
【請求項６】
前記制御部は、前記ストリームデータに含まれるフラグ情報に基づいて、前記コンテンツ映像が２Ｄ映像であるか３Ｄ映像であるかを判断する、請求項１に記載の映像再生装置。
【請求項７】
前記制御部は、さらに、前記出力部に接続された外部装置がＨＤＭＩＶｅｒ．１．４ａ以上の３Ｄ映像表示に対応するか否かを判断し、
前記出力部は、前記判断に基づいて、前記外部装置がＨＤＭＩＶｅｒ．１．４ａ以上の３Ｄ映像表示に対応する装置である場合には、前記出力映像のタイプを示す情報を、ＶＳＩに挿入する、請求項１に記載の映像再生装置。
【請求項８】
映像再生装置における映像再生方法であって、
デコーダ部が、入力されるストリームデータをデコードしてコンテンツ映像を生成するステップと、
前記コンテンツ映像に重畳するための重畳映像を作成するステップと、
前記重畳映像を前記コンテンツ映像に重畳して出力映像を生成するステップと、
前記出力映像を出力するステップと、
制御部が、前記ストリームデータに基づいて前記コンテンツ映像が２Ｄ映像であるか、左目用画像の領域と右目用画像の領域とを含んだサイド・バイ・サイド形式の３Ｄ映像であるかを判断するステップと、を有し、
前記生成するステップは、前記コンテンツ映像が２Ｄ映像である場合には、前記コンテンツ映像内の特定部分に前記重畳映像を重畳し、前記コンテンツ映像が前記サイド・バイ・サイド形式の３Ｄ映像である場合には、前記コンテンツ映像内の前記左目用画像の領域のうち、前記２Ｄ映像の前記特定部分に対応する部分と、前記コンテンツ映像内の前記右目用画像の領域のうち、前記２Ｄ映像の前記特定部分に対応する部分と、に前記重畳映像を重畳する、映像再生方法。
【請求項９】
コンテンツのストリームデータを保持する記憶部と、
ネットワークを介して接続された映像表示装置に重畳映像を生成させるためのメタデータを生成する生成部と、
前記ストリームデータおよび前記メタデータを前記ネットワーク経由で前記映像表示装置へ出力する出力部と、
前記生成部を制御する制御部と、を有し、
前記制御部は、前記出力部が出力するストリームデータに基づいて前記コンテンツが２Ｄコンテンツであるか、左目用画像の領域と右目用画像の領域とを含んだサイド・バイ・サイド形式の３Ｄコンテンツであるかを判断し、
前記生成部は、前記コンテンツが２Ｄコンテンツである場合には、前記２Ｄコンテンツの映像内の特定部分に重畳される前記重畳映像を前記映像表示装置に生成させるための前記メタデータを生成し、前記コンテンツが前記サイド・バイ・サイド形式の３Ｄコンテンツである場合には、前記コンテンツの映像内の前記左目用画像の領域のうち、前記２Ｄコンテンツの映像の前記特定部分に対応する部分と、前記コンテンツの映像内の前記右目用画像の領域のうち、前記２Ｄコンテンツの映像の前記特定部分に対応する部分と、に重畳される前記重畳映像を前記映像表示装置に生成させるための前記メタデータを生成する、映像再生装置。
【手続補正３】
【補正対象書類名】図面
【補正対象項目名】全図
【補正方法】変更
【補正の内容】
【図１】
2012017687.tif 000012
【図２】
2012017687.tif 000013
【図３】
2012017687.tif 000014
【図４】
2012017687.tif 000015
【図５】
2012017687.tif 000016
【図６】
2012017687.tif 000017
【図７】
2012017687.tif 000018
【図８Ａ】
2012017687.tif 000019
【図８Ｂ】
2012017687.tif 000020
【国際調査報告】
2012017687.tif 000021
2012017687.tif 000022
2012017687.tif 000023